(57)【要約】【課題】  有段式自動変速機を備えた車両用駆動装置において、その有段式自動変速機の変速時の変速ショックが抑制される制御装置を提供する。【解決手段】  自動変速部２０の変速中には、自動変速部２０への伝達トルクを所定値以下に制限する為に、入力クラッチ制御手段８２により入力クラッチ（第１クラッチＣ１）のトルク容量が低下させられるので、その入力クラッチが伝えられ得るトルクを超えてエンジントルクＴＥが変化しても、この超えた分のエンジントルクＴＥは自動変速部２０内へ伝達されず、エンジントルクＴＥの変動による自動変速部２０の変速への影響が低減される。よって、自動変速部２０の変速中の変速ショックが抑制される。【選択図】      図５
2007002899.tif 000002
【特許請求の範囲】
【請求項１】
エンジンからの出力を駆動輪へ伝達すると共に、有段式変速機として機能する有段変速部を備えた車両用駆動装置の制御装置であって、
前記エンジンから前記有段変速部内への動力の入力を断接可能な入力クラッチと、
前記有段変速部の変速中には、該有段変速部への伝達トルクを所定値以下に制限するために、前記入力クラッチのトルク容量を低下させる入力クラッチ制御手段と
を、含むことを特徴とする車両用駆動装置の制御装置。
【請求項２】
エンジンからの出力を駆動輪へ伝達すると共に、有段式変速機として機能する有段変速部を備えた車両用駆動装置の制御装置であって、
前記エンジンから前記有段変速部内への動力の入力を断接可能な入力クラッチと、
前記有段変速部の変速中には、前記入力クラッチをスリップ制御させる入力クラッチ制御手段と
を、含むことを特徴とする車両用駆動装置の制御装置。
【請求項３】
エンジンからの出力を駆動輪へ伝達すると共に、有段式変速機として機能する有段変速部を備えた車両用駆動装置の制御装置であって、
前記エンジンから前記有段変速部内への動力の入力を断接可能な入力クラッチと、
前記有段変速部の変速中には、前記入力クラッチをトルク制限装置として作動させる入力クラッチ制御手段と
を、含むことを特徴とする車両用駆動装置の制御装置。
【請求項４】
前記エンジンの出力を第１電動機および伝達部材へ分配する差動機構と該伝達部材から前記駆動輪への動力伝達経路に設けられた第２電動機とを有して電気的な無段変速機として作動可能な無段変速部と、
前記差動機構に備えられて、該差動機構の差動作用を制限することにより前記無段変速部の電気的な無段変速機としての作動を制限する差動制限装置と
を、更に含み、
前記有段変速部は、前記伝達部材から前記駆動輪への動力伝達経路に設けられているものである請求項１乃至３のいずれかのの車両用駆動装置の制御装置。
【請求項５】
前記入力クラッチ制御手段は、前記差動制限装置により前記無段変速部の電気的な無段変速機としての作動が制限されているか否かに基づいて、前記入力クラッチのトルク容量の低下量を変更するものである請求項４の車両用駆動装置の制御装置。
【請求項６】
前記入力クラッチ制御手段は、前記無段変速部が電気的な無段変速機として作動可能な無段変速状態とされているときに該無段変速部と前記有段変速部とで形成される総合変速比が該有段変速部の変速前後で連続的に変化させられるか或いは非連続的に変化させられるかに基づいて、前記入力クラッチのトルク容量の低下量を変更するものである請求項４または５の車両用駆動装置の制御装置。
【請求項７】
前記入力クラッチ制御手段は、前記エンジンのトルク変動に応じて前記入力クラッチのトルク容量の低下量を変更するものである請求項１乃至６のいずれかの車両用駆動装置の制御装置。
【請求項８】
前記入力クラッチは、前記有段変速部の変速に関与しないものである請求項１乃至７のいずれかの車両用駆動装置の制御装置。
【発明の詳細な説明】
【技術分野】
【０００１】
本発明は、有段式自動変速機を備える車両用駆動装置に係り、特に、変速中のショックを低減する技術に関するものである。
【背景技術】
【０００２】
一般的に、解放側係合装置の解放と係合側係合装置の係合とによりクラッチツウクラッチ変速が実行されたり、一方向クラッチを用いてワンウェイクラッチ変速が実行される有段式自動変速機が良く知られている。例えば、このような有段式自動変速機のクラッチツウクラッチ変速では、解放側係合装置の係合トルクと係合側係合装置の係合トルクとの重なり具合を制御する所謂オーバーラップ制御が行われる。このオーバーラップ制御では、変速ショックが抑制されたり変速フィーリングが向上される為に、エンジン回転速度（或いは有段式自動変速機の入力回転速度）の吹き上がり量（以下、吹き量という）を用いてそのエンジン回転速度の吹き量を所定吹き量とするように、解放側係合装置や係合側係合装置の係合圧がエンジントルクに応じて設定される。
【０００３】
ここで、エンジンの周期的な気筒点火（爆発）やピストンの往復運動に伴って常時周期的なエンジントルクの変動（脈動）が発生している。また、車両の燃費を向上させる為に空燃比をリーン状態としてエンジンを運転する車両においては、ＮＯＸ吸収剤がＮＯＸを吸収できる状態が維持される為にリーン状態でのエンジン運転中に空燃比を一時的にリッチ状態とする所謂リッチスパイクが実行されてＮＯＸ吸収剤が吸収したＮＯＸが放出させられており、そのリッチスパイクが実行されることにより燃料供給量の増大に伴ってエンジントルクが一時的に増大（変動）させられる。
【０００４】
上記有段式自動変速機の変速中に、このようなエンジントルクの変動が有段式自動変速機へ伝達される場合には、エンジントルクの変動に応じて解放側係合装置や係合側係合装置の係合圧を変更する必要があるが、解放側係合装置から係合側係合装置へのトルク受け渡しのバランスが崩れたり、トルク変動に対して速やかに係合圧を変更できない可能性があることから、係合圧を変更しないとエンジン回転速度の吹き量が大きくなったり、有段式自動変速機の出力トルクが一時的に落ち込むような所謂タイアップ状態で行われる可能性があり、変速ショックが発生する可能性があった。
【０００５】
但し、従来の有段式自動変速機においては、エンジントルクはトルクコンバータやフルードカップリング等の流体式伝動装置を介して入力される為、エンジン側と有段式自動変速段側とで回転速度差が許容されるその流体式伝動装置において、ある程度エンジントルクの変動（脈動）が吸収されたり、エンジントルクの一時的な増大（変動）が直接的に有段式自動変速機の入力軸に伝達されないので、変速ショックの発生が抑制されていた。
【０００６】
ところで、エンジンの出力を第１電動機および出力軸へ分配する差動機構と、その差動機構の出力軸と駆動輪との間に設けられた第２電動機とを、備えた車両用駆動装置が知られている。例えば、特許文献１に記載されたハイブリッド車両用駆動装置がそれである。このようなハイブリッド車両用駆動装置では、差動機構が例えば遊星歯車装置で構成され、その差動作用によりエンジンからの動力の主部を駆動輪へ機械的に伝達し、そのエンジンからの動力の残部を第１電動機から第２電動機への電気パスを用いて電気的に伝達することにより変速比が連続的に変更される変速機として機能させられ、例えば電気的な無段変速機として機能させられ、エンジンを最適な作動状態に維持しつつ車両を走行させるように制御装置により制御されて燃費が向上させられる。
【０００７】
【特許文献１】特開２００３−３０１７３１号公報
【発明の開示】
【発明が解決しようとする課題】
【０００８】
一般に、無段変速機は車両の燃費を良くする装置として知られている一方、有段式自動変速機のような歯車式伝動装置は伝達効率が良い装置として知られている。しかし、それ等の長所を兼ね備えた動力伝達機構は未だ存在しなかった。例えば、上記特許文献１に示すようなハイブリッド車両用駆動装置では、第１電動機から第２電動機への電気エネルギの電気パスすなわち車両の駆動力の一部を電気エネルギで伝送する伝送路を含むため、エンジンの高出力化に伴ってその第１電動機を大型化させねばならないとともに、その第１電動機から出力される電気エネルギにより駆動される第２電動機も大型化させねばならないので、駆動装置が大きくなるという問題があった。或いは、エンジンの出力の一部が一旦電気エネルギに変換されて駆動輪に伝達されるので、高速走行などのような車両の走行条件によってはかえって燃費が悪化する可能性があった。上記動力分配機構が電気的に変速比が変更される変速機例えば電気的ＣＶＴと称されるような無段変速機として使用される場合も、同様の課題があった。
【０００９】
また、上記ハイブリッド車両用駆動装置では、高駆動トルクが要求された場合に対する第２電動機の必要容量を小さくして、その第２電動機を小型化するために、差動機構（電気的な無段変速機）の出力部材と駆動輪との間の動力伝達経路に上述したような有段式自動変速機が備えられるものも良く知られている。そうすると、差動機構と有段式自動変速機とを備えるハイブリッド車両用駆動装置においては流体式伝動装置が備えられておらず、変速中のエンジントルクの変動によって変速ショックが発生する可能性があった。
【００１０】
また、前記特許文献１に記載されたハイブリッド車両用駆動装置の課題を解決できるような車両用駆動装置において、差動機構の出力部材と駆動輪との間の動力伝達経路に有段式自動変速機が備えられる場合にも、上記同様に、変速中のエンジントルクの変動によって変速ショックが発生する可能性があった。
【００１１】
本発明は、以上の事情を背景として為されたものであり、その目的とするところは、有段式自動変速機を備えた車両用駆動装置において、その有段式自動変速機の変速時の変速ショックが抑制される制御装置を提供することにある。
【課題を解決するための手段】
【００１２】
すなわち、請求項１にかかる発明の要旨とするところは、(a) エンジンからの出力を駆動輪へ伝達すると共に、有段式変速機として機能する有段変速部を備えた車両用駆動装置の制御装置であって、(b) 前記エンジンから前記有段変速部内への動力の入力を断接可能な入力クラッチと、(c) 前記有段変速部の変速中には、その有段変速部への伝達トルクを所定値以下に制限するために、前記入力クラッチのトルク容量を低下させる入力クラッチ制御手段とを、含むことにある。
【発明の効果】
【００１３】
このようにすれば、前記有段変速部の変速中には、有段変速部への伝達トルクを所定値以下に制限する為に、入力クラッチ制御手段によりエンジンから有段変速部への動力の入力を断接可能な入力クラッチのトルク容量が低下させられるので、入力クラッチが伝えられ得るトルクを超えてエンジントルクが変化しても、この超えた分のエンジントルクは有段変速部内へ伝達されず、エンジントルクの変動による有段変速部の変速への影響が低減される。見方を換えれば、有段変速部の変速中に入力クラッチがエンジントルク変動のリミッタとして作動させられて、エンジントルク変動による有段変速部の変速への影響が低減される。よって、有段変速部の変速中の変速ショックが抑制され得る。
【００１４】
ここで、請求項２にかかる発明の要旨とするところは、(a) エンジンからの出力を駆動輪へ伝達すると共に、有段式変速機として機能する有段変速部を備えた車両用駆動装置の制御装置であって、(b) 前記エンジンから前記有段変速部内への動力の入力を断接可能な入力クラッチと、(c) 前記有段変速部の変速中には、前記入力クラッチをスリップ制御させる入力クラッチ制御手段とを、含むことにある。
【００１５】
このようにすれば、前記有段変速部の変速中には、入力クラッチ制御手段によりエンジンから有段変速部への動力の入力を断接可能な入力クラッチがスリップ制御させられるので、入力クラッチのトルク容量が低下させられてその入力クラッチが伝えられ得るトルクを超えてエンジントルクが変化しても、この超えた分のエンジントルクは有段変速部内へ伝達されず、エンジントルクの変動による有段変速部の変速への影響が低減される。見方を換えれば、有段変速部の変速中に入力クラッチがエンジントルク変動のリミッタとして作動させられて、エンジントルク変動による有段変速部の変速への影響が低減される。よって、有段変速部の変速中の変速ショックが抑制され得る。
【００１６】
また、請求項３にかかる発明の要旨とするところは、(a) エンジンからの出力を駆動輪へ伝達すると共に、有段式変速機として機能する有段変速部を備えた車両用駆動装置の制御装置であって、(b) 前記エンジンから前記有段変速部内への動力の入力を断接可能な入力クラッチと、(c) 前記有段変速部の変速中には、前記入力クラッチをトルク制限装置として作動させる入力クラッチ制御手段とを、含むことにある。
【００１７】
このようにすれば、前記有段変速部の変速中には、入力クラッチ制御手段によりエンジンから有段変速部への動力の入力を断接可能な入力クラッチがトルク制限装置として作動させられるので、入力クラッチのトルク容量が低下させられて入力クラッチが伝えられ得るトルクを超えてエンジントルクが変化しても、この超えた分のエンジントルクは有段変速部内へ伝達されず、エンジントルクの変動による有段変速部の変速への影響が低減される。見方を換えれば、有段変速部の変速中に入力クラッチがエンジントルク変動のリミッタとして作動させられて、エンジントルク変動による有段変速部の変速への影響が低減される。よって、有段変速部の変速中の変速ショックが抑制され得る。
【００１８】
また、請求項４にかかる発明では、(a) 前記エンジンの出力を第１電動機および伝達部材へ分配する差動機構とその伝達部材から前記駆動輪への動力伝達経路に設けられた第２電動機とを有して電気的な無段変速機として作動可能な無段変速部と、(b) 前記差動機構に備えられて、その差動機構の差動作用を制限することにより前記無段変速部の電気的な無段変速機としての作動を制限する差動制限装置とを、更に含み、(c) 前記有段変速部は、前記伝達部材から前記駆動輪への動力伝達経路に設けられているものである。
【００１９】
このようにすれば、車両の駆動装置内の無段変速部が、差動制限装置により差動機構の差動作用が制限されずその差動機構が差動作用が働く差動状態とされることで電気的な無段変速作動可能な無段変速状態とされ、或いはまた、差動制限装置により差動機構の差動作用が制限されることで電気的な無段変速機としての作動が制限されることから、例えば差動機構がその差動作用をしない非差動状態例えばロック状態とされることで電気的な無段変速作動しない非無段変速状態例えば有段変速状態とされ得ることから、電気的に変速比が変更させられる変速機の燃費改善効果と機械的に動力を伝達する歯車式伝動装置の高い伝達効率との両長所を兼ね備えた駆動装置が得られる。
【００２０】
例えば、車両の低中速走行および低中出力走行となるようなエンジンの常用出力域において上記無段変速部が無段変速状態とされると、車両の燃費性能が確保される。また、高速走行において無段変速部が非無段変速状態とされると、専ら機械的な動力伝達経路でエンジンの出力が駆動輪へ伝達されて、電気的に変速比が変更させられる変速機として作動させる場合に発生する動力と電気エネルギとの間の変換損失が抑制されるので、燃費が向上させられる。また、高出力走行において無段変速部が非無段変速状態とされると、電気的に変速比が変更させられる変速機として作動させる領域が車両の低中速走行および低中出力走行となって、電動機が発生すべき電気的エネルギ換言すれば電動機が伝える電気的エネルギの最大値を小さくできるので、その電動機或いはそれを含む車両の駆動装置が一層小型化される。
【００２１】
また、請求項５にかかる発明では、前記入力クラッチ制御手段は、前記差動制限装置により前記無段変速部の電気的な無段変速機としての作動が制限されているか否かに基づいて、前記入力クラッチのトルク容量の低下量を変更するものである。このようにすれば、エンジントルク変動に拘わらず伝達部材に伝達される伝達トルクの変動が抑制させられ得る無段変速部が電気的な無段変速作動可能な無段変速状態と、専ら機械的な動力伝達経路でエンジンの出力が駆動輪へ伝達されることから伝達部材に伝達される伝達トルクの変動が抑制させられ得ない無段変速部が電気的な無段変速作動しない非無段変速状態とに応じた入力クラッチのトルク容量の低下量とされ得る。
【００２２】
また、請求項６にかかる発明では、前記入力クラッチ制御手段は、前記無段変速部が電気的な無段変速機として作動可能な無段変速状態とされているときにその無段変速部と前記有段変速部とで形成される総合変速比がその有段変速部の変速前後で連続的に変化させられるか或いは非連続的に変化させられるかに基づいて、前記入力クラッチのトルク容量の低下量を変更するものである。このようにすれば、有段変速部の変速前後におけるエンジン回転速度の変化が抑制され得る総合変速比の連続的な変化と、エンジン回転速度が変化させられる総合変速比の非連続的（段階的）な変化とで異なるイナーシャートルクに応じた入力クラッチのトルク容量の低下量とされ得る。
【００２３】
また、請求項７にかかる発明では、前記入力クラッチ制御手段は、前記エンジンのトルク変動に応じて前記入力クラッチのトルク容量の低下量を変更するものである。このようにすれば、入力クラッチが伝えられ得るトルクが一律に制限されることに比較して、一層有段変速部の変速中の変速ショックが抑制され得る。
【００２４】
また、請求項８にかかる発明では、前記入力クラッチは、前記有段変速部の変速に関与しないものである。このようにすれば、有段変速部の変速が解放側係合装置の解放と係合側係合装置の係合とにより適切に実行されると共に、エンジントルクの変動による有段変速部の変速への影響が適切に低減される。
【発明を実施するための最良の形態】
【００２５】
ここで、好適には、前記エンジンと前記有段変速部との間の動力伝達経路に流体伝動装置を備えていない動力伝達系とされるものである、すなわち前記エンジンから前記有段変速部内への動力伝達経路が前記入力クラッチを介して直接的に連結される動力伝達系とされるものである。このようにすれば、前記入力クラッチ制御手段により前記入力クラッチのトルク容量が低下させられることによる有段変速部の変速中の変速ショック抑制の効果が一層顕著とされ得る。
【００２６】
また、好適には、前記無段変速部は、前記差動制限装置により前記差動機構が差動作用が働く差動状態とされることで電気的な無段変速作動可能な無段変速状態とされ、差動機構がその差動作用をしない非差動状態例えばロック状態とされて差動作用が制限されることで電気的な無段変速作動しない非無段変速状態例えば有段変速状態とされて電気的な無段変速機としての作動が制限されるものである。このようにすれば、無段変速部が、無段変速状態と非無段変速状態とに切り換えられる。
【００２７】
また、好適には、前記差動機構は、前記エンジンに連結された第１要素と前記第１電動機に連結された第２要素と前記伝達部材に連結された第３要素とを有するものであり、前記差動制限装置は、前記差動機構を差動状態とするために第１要素乃至第３要素を相互に相対回転可能とする、例えば差動機構を差動状態とするために少なくとも第２要素および第３要素を互いに異なる速度にて回転可能とするものである。また、差動制限装置は、差動機構を非差動状態例えばロック状態とするために少なくとも第２要素および第３要素を互いに異なる速度にて回転可能としない、例えば差動機構を非差動状態例えばロック状態とするために第１要素乃至第３要素を共に一体回転させるか或いは第２要素を非回転状態とするものである。このようにすれば、差動機構が差動状態と非差動状態とに切り換えられるように構成される。
【００２８】
また、好適には、前記差動制限装置は、前記第１要素乃至第３要素を共に一体回転させるために第１要素乃至第３要素のうちの少なくとも２つを相互に連結するクラッチおよび／または第２要素を非回転状態とするために第２要素を非回転部材に連結するブレーキを備えたものである。このようにすれば、差動機構が差動状態と非差動状態とに簡単に切り換えられるように構成される。
【００２９】
また、好適には、前記差動機構は、前記クラッチおよび前記ブレーキの解放により少なくとも前記第２要素および前記第３要素が互いに異なる速度にて回転可能な差動状態とされて電気的な差動装置とされ、前記クラッチの係合により変速比が１である変速機とされるか、或いは前記ブレーキの係合により変速比が１より小さい増速変速機とされるものである。このようにすれば、差動機構が差動状態と非差動状態とに切り換えられるように構成されると共に、単段または複数段の定変速比を有する変速機としても構成され得る。
【００３０】
また、好適には、前記差動機構動は遊星歯車装置であり、前記第１要素はその遊星歯車装置のキャリヤであり、前記第２要素はその遊星歯車装置のサンギヤであり、前記第３要素はその遊星歯車装置のリングギヤである。このようにすれば、前記差動機構の軸方向寸法が小さくなる。また、差動機構が１つの遊星歯車装置によって簡単に構成され得る。
【００３１】
また、好適には、前記遊星歯車装置はシングルピニオン型遊星歯車装置である。このようにすれば、前記差動機構の軸方向寸法が小さくなる。また、差動機構が１つのシングルピニオン型遊星歯車装置によって簡単に構成される。
【００３２】
また、好適には、前記無段変速部の変速比と前記有段変速部の変速比とに基づいて前記駆動装置の総合変速比が形成されるものである。このようにすれば、有段変速部の変速比を利用することによって駆動力が幅広く得られるようになる。また、これによって、無段変速部における無段変速制御の効率が一層高められる。或いはまた、有段変速部において形成される変速比が１より大きい減速変速機とされると、第２電動機の出力トルクは変速部の出力軸に対して低トルクの出力でよいので、第２電動機が小型化され得る。また、無段変速部の無段変速状態において、無段変速部と有段変速部とで無段変速機が構成され、無段変速部の非無段変速状態において、無段変速部と有段変速部とで有段変速機が構成され得る。
【００３３】
また、前記有段変速部は、有段式の自動変速機である。このようにすれば、前記総合変速比が変速部の変速に伴って段階的に変化させられ得るので、総合変速比が連続的に変化させられることに比較して速やかに変化させられ得る。よって、駆動装置が無段変速機として機能させられて滑らかに駆動トルクを変化させることが可能であると共に、段階的に変速比を変化させて速やかに駆動トルクを得ることも可能となる。
【００３４】
以下、本発明の実施例を図面を参照しつつ詳細に説明する。
【実施例１】
【００３５】
図１は、本発明の一実施例である制御装置が適用されるハイブリッド車両の駆動装置の一部を構成する変速機構１０を説明する骨子図である。図１において、変速機構１０は車体に取り付けられる非回転部材としてのトランスミッションケース１２（以下、ケース１２という）内において共通の軸心上に配設された入力回転部材としての入力軸１４と、この入力軸１４に直接に或いは図示しない脈動吸収ダンパー（振動減衰装置）などを介して間接に連結された無段変速部としての差動部１１と、その差動部１１と駆動輪３８との間の動力伝達経路で伝達部材（伝動軸）１８を介して直列に連結されている有段式の変速機として機能する有段変速部としての自動変速部２０と、この自動変速部２０に連結されている出力回転部材としての出力軸２２とを直列に備えている。この変速機構１０は、例えば車両において縦置きされるＦＲ（フロントエンジン・リヤドライブ）型車両に好適に用いられるものであり、入力軸１４に直接に或いは図示しない脈動吸収ダンパーを介して直接的に連結された走行用の駆動力源として例えばガソリンエンジンやディーゼルエンジン等の内燃機関であるエンジン８と一対の駆動輪３８（図５参照）との間に設けられて、エンジン８からの動力を動力伝達経路の一部を構成する差動歯車装置（終減速機）３６および一対の車軸等を順次介して一対の駆動輪３８へ伝達する。
【００３６】
このように、本実施例の変速機構１０においてはエンジン８と差動部１１とは直接的に連結すなわち直結されている。また、差動部１１と自動変速部２０とも直結されている。この直結にはトルクコンバータやフルードカップリング等の流体式伝動装置を介することなく連結されているということであり、例えば上記脈動吸収ダンパーなどを介する連結はこの直結に含まれる。なお、変速機構１０はその軸心に対して対称的に構成されているため、図１の骨子図においてはその下側が省略されている。以下の各実施例についても同様である。
【００３７】
差動部１１は、第１電動機Ｍ１と、入力軸１４に入力されたエンジン８の出力を機械的に分配する機械的機構であってエンジン８の出力を第１電動機Ｍ１および伝達部材１８に分配する差動機構としての動力分配機構１６と、伝達部材１８と一体的に回転するように設けられている第２電動機Ｍ２とを備えている。なお、この第２電動機Ｍ２は伝達部材１８から駆動輪３８までの間の動力伝達経路を構成するいずれの部分に設けられてもよい。本実施例の第１電動機Ｍ１および第２電動機Ｍ２は発電機能をも有する所謂モータジェネレータであるが、第１電動機Ｍ１は反力を発生させるためのジェネレータ（発電）機能を少なくとも備え、第２電動機Ｍ２は走行用の駆動力源として駆動力を出力するためのモータ（電動機）機能を少なくとも備える。
【００３８】
動力分配機構１６は、例えば「０．４１８」程度の所定のギヤ比ρ１を有するシングルピニオン型の第１遊星歯車装置２４と、切換クラッチＣ０および切換ブレーキＢ０とを主体的に備えている。この第１遊星歯車装置２４は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を回転要素（要素）として備えている。第１サンギヤＳ１の歯数をＺＳ１、第１リングギヤＲ１の歯数をＺＲ１とすると、上記ギヤ比ρ１はＺＳ１／ＺＲ１である。
【００３９】
この動力分配機構１６においては、第１キャリヤＣＡ１は入力軸１４すなわちエンジン８に連結され、第１サンギヤＳ１は第１電動機Ｍ１に連結され、第１リングギヤＲ１は伝達部材１８に連結されている。また、切換ブレーキＢ０は第１サンギヤＳ１とケース１２との間に設けられ、切換クラッチＣ０は第１サンギヤＳ１と第１キャリヤＣＡ１との間に設けられている。それら切換クラッチＣ０および切換ブレーキＢ０が解放されるとすなわち解放状態へ切り換えられると、動力分配機構１６は第１遊星歯車装置２４の３要素である第１サンギヤＳ１、第１キャリヤＣＡ１、第１リングギヤＲ１がそれぞれ相互に相対回転可能とされて差動作用が作動可能なすなわち差動作用が働く差動状態とされることから、エンジン８の出力が第１電動機Ｍ１と伝達部材１８とに分配されるとともに、分配されたエンジン８の出力の一部で第１電動機Ｍ１から発生させられた電気エネルギで蓄電されたり第２電動機Ｍ２が回転駆動されるので、差動部１１（動力分配機構１６）は電気的な差動装置として機能させられて例えば差動部１１は所謂無段変速状態（電気的ＣＶＴ状態）とされて、エンジン８の所定回転に拘わらず伝達部材１８の回転が連続的に変化させられる。すなわち、動力分配機構１６が差動状態とされると差動部１１も差動状態とされ、差動部１１はその変速比γ０（入力軸１４の回転速度／伝達部材１８の回転速度）が最小値γ０min から最大値γ０max まで連続的に変化させられる電気的な無段変速機として機能する無段変速状態とされる。
【００４０】
この状態で、上記切換クラッチＣ０或いは切換ブレーキＢ０が係合されるとすなわち係合状態へ切り換えられると、動力分配機構１６は前記差動作用をしないすなわち差動作用が不能な非差動状態とされる。具体的には、上記切換クラッチＣ０が係合されて第１サンギヤＳ１と第１キャリヤＣＡ１とが一体的に連結されると、動力分配機構１６は第１遊星歯車装置２４の３要素である第１サンギヤＳ１、第１キャリヤＣＡ１、第１リングギヤＲ１が共に回転すなわち一体回転させられる連結状態すなわちロック状態とされて前記差動作用をしない非差動状態とされることから、差動部１１も非差動状態とされる。また、エンジン８の回転と伝達部材１８の回転速度とが一致する状態となるので、差動部１１（動力分配機構１６）は変速比γ０が「１」に固定された変速機として機能する非無段変速状態例えば定変速状態すなわち有段変速状態とされる。
【００４１】
次いで、上記切換クラッチＣ０に替えて切換ブレーキＢ０が係合されて第１サンギヤＳ１がケース１２に連結されると、動力分配機構１６は第１サンギヤＳ１が非回転状態とさせられる連結状態すなわちロック状態とされて前記差動作用をしない非差動状態とされることから、差動部１１も非差動状態とされる。また、第１リングギヤＲ１は第１キャリヤＣＡ１よりも増速回転されるので、動力分配機構１６は増速機構として機能するものであり、差動部１１（動力分配機構１６）は変速比γ０が「１」より小さい値例えば０．７程度に固定された増速変速機として機能する非無段変速状態例えば定変速状態すなわち有段変速状態とされる。
【００４２】
このように、本実施例では、上記切換クラッチＣ０および切換ブレーキＢ０は、差動部１１（動力分配機構１６）の変速状態を差動状態すなわち非ロック状態（非連結状態）と非差動状態すなわちロック状態（連結状態）とに、すなわち差動部１１（動力分配機構１６）を電気的な差動装置として作動可能な差動状態例えば変速比が連続的変化可能な電気的な無段変速機として作動する無段変速作動可能な無段変速状態と、電気的な無段変速作動しない非無段変速状態例えば電気的な無段変速機として作動させず無段変速作動を非作動として変速比変化を一定にロックするロック状態すなわち１または２種類以上の変速比の単段または複数段の変速機として作動する電気的な無段変速作動しないすなわち電気的な無段変速作動不能な定変速状態（非差動状態）、換言すれば変速比が一定の１段または複数段の変速機として作動する定変速状態とに選択的に切換える差動状態切換装置として機能している。
【００４３】
別の見方をすれば、切換クラッチＣ０および切換ブレーキＢ０は、動力分配機構１６を非差動状態として動力分配機構１６の差動作用を制限することにより、差動部１１を非無段変速状態として差動部１１の電気的な差動装置としての作動を制限する、すなわち電気的な無段変速機としての作動を制限する差動制限装置として機能している。また、切換クラッチＣ０および切換ブレーキＢ０は、動力分配機構１６を差動状態として動力分配機構１６の差動作用を制限しないことにより、差動部１１を無段変速状態として差動部１１の電気的な差動装置としての作動を制限しない、すなわち電気的な無段変速機としての作動を制限しない。
【００４４】
自動変速部２０は、シングルピニオン型の第２遊星歯車装置２６、シングルピニオン型の第３遊星歯車装置２８、およびシングルピニオン型の第４遊星歯車装置３０を備え、有段式の自動変速機として機能する。第２遊星歯車装置２６は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、例えば「０．５６２」程度の所定のギヤ比ρ２を有している。第３遊星歯車装置２８は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、例えば「０．４２５」程度の所定のギヤ比ρ３を有している。第４遊星歯車装置３０は、第４サンギヤＳ４、第４遊星歯車Ｐ４、その第４遊星歯車Ｐ４を自転および公転可能に支持する第４キャリヤＣＡ４、第４遊星歯車Ｐ４を介して第４サンギヤＳ４と噛み合う第４リングギヤＲ４を備えており、例えば「０．４２１」程度の所定のギヤ比ρ４を有している。第２サンギヤＳ２の歯数をＺＳ２、第２リングギヤＲ２の歯数をＺＲ２、第３サンギヤＳ３の歯数をＺＳ３、第３リングギヤＲ３の歯数をＺＲ３、第４サンギヤＳ４の歯数をＺＳ４、第４リングギヤＲ４の歯数をＺＲ４とすると、上記ギヤ比ρ２はＺＳ２／ＺＲ２、上記ギヤ比ρ３はＺＳ３／ＺＲ３、上記ギヤ比ρ４はＺＳ４／ＺＲ４である。
【００４５】
自動変速部２０では、第２サンギヤＳ２と第３サンギヤＳ３とが一体的に連結されて第２クラッチＣ２を介して伝達部材１８に選択的に連結されるとともに第１ブレーキＢ１を介してケース１２に選択的に連結され、第２キャリヤＣＡ２は第２ブレーキＢ２を介してケース１２に選択的に連結され、第４リングギヤＲ４は第３ブレーキＢ３を介してケース１２に選択的に連結され、第２リングギヤＲ２と第３キャリヤＣＡ３と第４キャリヤＣＡ４とが一体的に連結されて出力軸２２に連結され、第３リングギヤＲ３と第４サンギヤＳ４とが一体的に連結されて第１クラッチＣ１を介して伝達部材１８に選択的に連結されている。
【００４６】
このように、自動変速部２０内と差動部１１（伝達部材１８）とは自動変速部２０の変速段を成立させるために用いられる第１クラッチＣ１または第２クラッチＣ２を介して選択的に連結されている。言い換えれば、第１クラッチＣ１および第２クラッチＣ２は、差動部１１（伝達部材１８）から自動変速部２０内への動力の入力を断接可能な入力クラッチ、すなわちエンジン８から自動変速部２０内への動力伝達経路の動力伝達を可能とする動力伝達可能状態と、その動力伝達経路の動力伝達を遮断する動力伝達遮断状態とに選択的に切り換えられる入力クラッチとして機能している。つまり、第１クラッチＣ１および第２クラッチＣ２の少なくとの一方が係合されることで上記動力伝達経路が動力伝達可能状態とされ、或いは第１クラッチＣ１および第２クラッチＣ２が解放されることで上記動力伝達経路が動力伝達遮断状態とされる。また、この自動変速部２０は、解放側係合装置の解放と係合側係合装置の係合とによりクラッチツウクラッチ変速が実行される有段式変速機である。
【００４７】
前記切換クラッチＣ０、第１クラッチＣ１、第２クラッチＣ２、切換ブレーキＢ０、第１ブレーキＢ１、第２ブレーキＢ２、および第３ブレーキＢ３（以下、特に区別しない場合はクラッチＣ、ブレーキＢと表す）は、従来の車両用自動変速機においてよく用いられている係合要素としての油圧式摩擦係合装置であって、互いに重ねられた複数枚の摩擦板が油圧アクチュエータにより押圧される湿式多板型や、回転するドラムの外周面に巻き付けられた１本または２本のバンドの一端が油圧アクチュエータによって引き締められるバンドブレーキなどにより構成され、それが介挿されている両側の部材を選択的に連結するためのものである。
【００４８】
以上のように構成された変速機構１０において、特に、本実施例では動力分配機構１６に切換クラッチＣ０および切換ブレーキＢ０が備えられており、切換クラッチＣ０および切換ブレーキＢ０の何れかが係合作動させられることによって、差動部１１は前述した無段変速機として作動可能な無段変速状態に加え、変速比が一定の変速機として作動可能な非無段変速状態（定変速状態）を構成することが可能とされている。したがって、変速機構１０では、切換クラッチＣ０および切換ブレーキＢ０の何れかを係合作動させることで定変速状態とされた差動部１１と自動変速部２０とで有段変速機として作動する有段変速状態が構成され、切換クラッチＣ０および切換ブレーキＢ０の何れも係合作動させないことで無段変速状態とされた差動部１１と自動変速部２０とで電気的な無段変速機として作動する無段変速状態が構成される。言い換えれば、変速機構１０は、切換クラッチＣ０および切換ブレーキＢ０の何れかを係合作動させることで有段変速状態に切り換えられ、切換クラッチＣ０および切換ブレーキＢ０の何れも係合作動させないことで無段変速状態に切り換えられる。また、差動部１１も有段変速状態と無段変速状態とに切り換え可能な変速機であると言える。
【００４９】
具体的には、差動部１１が非無段変速状態とされて変速機構１０が有段変速機として機能する場合には、切換クラッチＣ０および切換ブレーキＢ０の何れかが係合させられ、且つ第１クラッチＣ１、第２クラッチＣ２、第１ブレーキＢ１、第２ブレーキＢ２、および第３ブレーキＢ３が選択的に係合作動させられることにより、すなわち自動変速部２０の変速に関与する係合装置の解放と係合とにより、例えば変速に関与する解放側の油圧式摩擦係合装置（以下解放側係合装置）の解放と変速に関与する係合側の油圧式摩擦係合装置（以下係合側係合装置）の係合とにより変速比が自動的に切り換えられるように、第１速ギヤ段（第１変速段）乃至第５速ギヤ段（第５変速段）のいずれか或いは後進ギヤ段（後進変速段）或いはニュートラルが選択的に成立させられ、略等比的に変化する変速機構１０の総合変速比γＴ（＝入力軸回転速度Ｎ１４／出力軸回転速度ＮＯＵＴ）が各ギヤ段毎に得られるようになっている。この変速機構１０の総合変速比γＴは、差動部１１の変速比γ０と自動変速部２０の変速比γとに基づいて形成される変速機構１０全体としてのトータル変速比γＴである。
【００５０】
例えば、変速機構１０が有段変速機として機能する場合には、図２の係合作動表に示されるように、切換クラッチＣ０、第１クラッチＣ１および第３ブレーキＢ３の係合により、変速比γ１が最大値例えば「３．３５７」程度である第１速ギヤ段が成立させられ、切換クラッチＣ０、第１クラッチＣ１および第２ブレーキＢ２の係合により、変速比γ２が第１速ギヤ段よりも小さい値例えば「２．１８０」程度である第２速ギヤ段が成立させられ、切換クラッチＣ０、第１クラッチＣ１および第１ブレーキＢ１の係合により、変速比γ３が第２速ギヤ段よりも小さい値例えば「１．４２４」程度である第３速ギヤ段が成立させられ、切換クラッチＣ０、第１クラッチＣ１および第２クラッチＣ２の係合により、変速比γ４が第３速ギヤ段よりも小さい値例えば「１．０００」程度である第４速ギヤ段が成立させられ、第１クラッチＣ１、第２クラッチＣ２、および切換ブレーキＢ０の係合により、変速比γ５が第４速ギヤ段よりも小さい値例えば「０．７０５」程度である第５速ギヤ段が成立させられる。また、第２クラッチＣ２および第３ブレーキＢ３の係合により、変速比γＲが第１速ギヤ段と第２速ギヤ段との間の値例えば「３．２０９」程度である後進ギヤ段が成立させられる。なお、この後進ギヤ段は、通常、差動部１１の無段変速状態において成立させられる。また、ニュートラル「Ｎ」状態とする場合には、例えばすべてのクラッチＣおよびブレーキＢが解放される。
【００５１】
また、差動部１１が無段変速状態とされて変速機構１０が無段変速機として機能する場合には、切換クラッチＣ０および切換ブレーキＢ０が共に解放されて差動部１１が無段変速機として機能し、且つ差動部１１に直列の自動変速部２０が有段変速機として機能することにより、自動変速部２０の少なくとも１つの変速段Ｍに対して自動変速部２０に入力される回転速度（以下、自動変速部２０の入力回転速度ＮＩＮ）すなわち伝達部材１８の回転速度が無段的に変化させられてその変速段Ｍにおいて無段的な変速比幅が得られる。したがって、変速機構１０のトータル変速比γＴが無段階に得られるようになる。
【００５２】
例えば、変速機構１０が無段変速機として機能する場合には、図２の係合作動表に示されるように、切換クラッチＣ０および切換ブレーキＢ０が共に解放された状態で、自動変速部２０の第１速、第２速、第３速、第４速（第５速における自動変速部２０の係合装置の係合作動は第４速に同じ）の各ギヤ段に対しその自動変速部２０の入力回転速度ＮＩＮが無段的に変化させられて各ギヤ段は無段的な変速比幅が得られる。したがって、その各ギヤ段の間が無段的に連続変化可能な変速比となって、変速機構１０全体としてのトータル変速比γＴが無段階に得られる。
【００５３】
図３は、無段変速部或いは第１変速部として機能する差動部１１と有段変速部或いは第２変速部として機能する自動変速部２０とから構成される変速機構１０において、ギヤ段毎に連結状態が異なる各回転要素の回転速度の相対関係を直線上で表すことができる共線図を示している。この図３の共線図は、各遊星歯車装置２４、２６、２８、３０のギヤ比ρの関係を示す横軸と、相対的回転速度を示す縦軸とから成る二次元座標であり、３本の横線のうちの下側の横線Ｘ１が回転速度零を示し、上側の横線Ｘ２が回転速度「１．０」すなわち入力軸１４に連結されたエンジン８の回転速度ＮＥを示し、横線ＸＧが伝達部材１８の回転速度を示している。
【００５４】
また、差動部１１を構成する動力分配機構１６の３つの要素に対応する３本の縦線Ｙ１、Ｙ２、Ｙ３は、左側から順に第２回転要素（第２要素）ＲＥ２に対応する第１サンギヤＳ１、第１回転要素（第１要素）ＲＥ１に対応する第１キャリヤＣＡ１、第３回転要素（第３要素）ＲＥ３に対応する第１リングギヤＲ１の相対回転速度を示すものであり、それらの間隔は第１遊星歯車装置２４のギヤ比ρ１に応じて定められている。さらに、自動変速部２０の５本の縦線Ｙ４、Ｙ５、Ｙ６、Ｙ７、Ｙ８は、左から順に、第４回転要素（第４要素）ＲＥ４に対応し且つ相互に連結された第２サンギヤＳ２および第３サンギヤＳ３を、第５回転要素（第５要素）ＲＥ５に対応する第２キャリヤＣＡ２を、第６回転要素（第６要素）ＲＥ６に対応する第４リングギヤＲ４を、第７回転要素（第７要素）ＲＥ７に対応し且つ相互に連結された第２リングギヤＲ２、第３キャリヤＣＡ３、第４キャリヤＣＡ４を、第８回転要素（第８要素）ＲＥ８に対応し且つ相互に連結された第３リングギヤＲ３、第４サンギヤＳ４をそれぞれ表し、それらの間隔は第２、第３、第４遊星歯車装置２６、２８、３０のギヤ比ρ２、ρ３、ρ４に応じてそれぞれ定められている。共線図の縦軸間の関係においてサンギヤとキャリヤとの間が「１」に対応する間隔とされるとキャリヤとリングギヤとの間が遊星歯車装置のギヤ比ρに対応する間隔とされる。すなわち、差動部１１では縦線Ｙ１とＹ２との縦線間が「１」に対応する間隔に設定され、縦線Ｙ２とＹ３との間隔はギヤ比ρ１に対応する間隔に設定される。また、自動変速部２０では各第２、第３、第４遊星歯車装置２６、２８、３０毎にそのサンギヤとキャリヤとの間が「１」に対応する間隔に設定され、キャリヤとリングギヤとの間がρに対応する間隔に設定される。
【００５５】
上記図３の共線図を用いて表現すれば、本実施例の変速機構１０は、動力分配機構１６（差動部１１）において、第１遊星歯車装置２４の第１回転要素ＲＥ１（第１キャリヤＣＡ１）が入力軸１４すなわちエンジン８に連結されるとともに切換クラッチＣ０を介して第２回転要素（第１サンギヤＳ１）ＲＥ２と選択的に連結され、第２回転要素ＲＥ２が第１電動機Ｍ１に連結されるとともに切換ブレーキＢ０を介してケース１２に選択的に連結され、第３回転要素（第１リングギヤＲ１）ＲＥ３が伝達部材１８および第２電動機Ｍ２に連結されて、入力軸１４の回転を伝達部材１８を介して自動変速部２０へ伝達する（入力させる）ように構成されている。このとき、Ｙ２とＸ２の交点を通る斜めの直線Ｌ０により第１サンギヤＳ１の回転速度と第１リングギヤＲ１の回転速度との関係が示される。
【００５６】
例えば、上記切換クラッチＣ０および切換ブレーキＢ０の解放により、第１回転要素ＲＥ１乃至第３回転要素ＲＥ３を相互に相対回転可能とする無段変速状態（差動状態）、例えば少なくとも第２回転要素ＲＥ２および第３回転要素ＲＥ３を互いに異なる速度にて回転可能とする無段変速状態（差動状態）に切換えられたときは、第１電動機Ｍ１の回転速度を制御することによって直線Ｌ０と縦線Ｙ１との交点で示される第１サンギヤＳ１の回転が上昇或いは下降させられると、直線Ｌ０と縦線Ｙ３との交点で示される車速Ｖに拘束される第１リングギヤＲ１の回転速度が略一定である場合には、直線Ｌ０と縦線Ｙ２との交点で示される第１キャリヤＣＡ１の回転速度すなわちエンジン回転速度ＮＥが上昇或いは下降させられる。
【００５７】
また、切換クラッチＣ０の係合により第１サンギヤＳ１と第１キャリヤＣＡ１とが連結されると、動力分配機構１６は上記３回転要素ＲＥ１、ＲＥ２、ＲＥ３が一体回転して少なくとも第２回転要素ＲＥ２および第３回転要素ＲＥ３を互いに異なる速度にて回転可能としない非差動状態とされるので、直線Ｌ０は横線Ｘ２と一致させられ、エンジン回転速度ＮＥと同じ回転で伝達部材１８が回転させられる。或いは、切換ブレーキＢ０の係合により第１サンギヤＳ１がケース１２に連結されると、動力分配機構１６は第２回転要素ＲＥ２の回転が停止させられて少なくとも第２回転要素ＲＥ２および第３回転要素ＲＥ３を互いに異なる速度にて回転可能としない非差動状態とされるので、直線Ｌ０は図３に示す状態となって差動部１１が増速機構として機能させられ、その直線Ｌ０と縦線Ｙ３との交点で示される第１リングギヤＲ１の回転速度すなわち伝達部材１８の回転速度は、エンジン回転速度ＮＥよりも増速された回転で自動変速部２０へ入力される。
【００５８】
また、自動変速部２０において第４回転要素ＲＥ４は第２クラッチＣ２を介して伝達部材１８に選択的に連結されるとともに第１ブレーキＢ１を介してケース１２に選択的に連結され、第５回転要素ＲＥ５は第２ブレーキＢ２を介してケース１２に選択的に連結され、第６回転要素ＲＥ６は第３ブレーキＢ３を介してケース１２に選択的に連結され、第７回転要素ＲＥ７は出力軸２２に連結され、第８回転要素ＲＥ８は第１クラッチＣ１を介して伝達部材１８に選択的に連結されている。
【００５９】
自動変速部２０では、図３に示すように、第１クラッチＣ１と第３ブレーキＢ３とが係合させられることにより、第８回転要素ＲＥ８の回転速度を示す縦線Ｙ８と横線Ｘ２との交点と第６回転要素ＲＥ６の回転速度を示す縦線Ｙ６と横線Ｘ１との交点とを通る斜めの直線Ｌ１と、出力軸２２と連結された第７回転要素ＲＥ７の回転速度を示す縦線Ｙ７との交点で第１速の出力軸２２の回転速度が示される。同様に、第１クラッチＣ１と第２ブレーキＢ２とが係合させられることにより決まる斜めの直線Ｌ２と出力軸２２と連結された第７回転要素ＲＥ７の回転速度を示す縦線Ｙ７との交点で第２速の出力軸２２の回転速度が示され、第１クラッチＣ１と第１ブレーキＢ１とが係合させられることにより決まる斜めの直線Ｌ３と出力軸２２と連結された第７回転要素ＲＥ７の回転速度を示す縦線Ｙ７との交点で第３速の出力軸２２の回転速度が示され、第１クラッチＣ１と第２クラッチＣ２とが係合させられることにより決まる水平な直線Ｌ４と出力軸２２と連結された第７回転要素ＲＥ７の回転速度を示す縦線Ｙ７との交点で第４速の出力軸２２の回転速度が示される。上記第１速乃至第４速では、切換クラッチＣ０が係合させられている結果、エンジン回転速度ＮＥと同じ回転速度で第８回転要素ＲＥ８に差動部１１すなわち動力分配機構１６からの動力が入力される。しかし、切換クラッチＣ０に替えて切換ブレーキＢ０が係合させられると、差動部１１からの動力がエンジン回転速度ＮＥよりも高い回転速度で入力されることから、第１クラッチＣ１、第２クラッチＣ２、および切換ブレーキＢ０が係合させられることにより決まる水平な直線Ｌ５と出力軸２２と連結された第７回転要素ＲＥ７の回転速度を示す縦線Ｙ７との交点で第５速の出力軸２２の回転速度が示される。
【００６０】
図４は、本実施例の変速機構１０を制御するための電子制御装置４０に入力される信号及びその電子制御装置４０から出力される信号を例示している。この電子制御装置４０は、ＣＰＵ、ＲＯＭ、ＲＡＭ、及び入出力インターフェースなどから成る所謂マイクロコンピュータを含んで構成されており、ＲＡＭの一時記憶機能を利用しつつＲＯＭに予め記憶されたプログラムに従って信号処理を行うことによりエンジン８、第１、第２電動機Ｍ１、Ｍ２に関するハイブリッド駆動制御、自動変速部２０の変速制御等の駆動制御を実行するものである。
【００６１】
電子制御装置４０には、図４に示すような各センサやスイッチなどから、エンジン水温ＴＥＭＰＷを表す信号、シフトポジションＰＳＨを表す信号、エンジン８の回転速度であるエンジン回転速度ＮＥを表す信号、ギヤ比列設定値を表す信号、Ｍモード（手動変速走行モード）を指令する信号、エアコンの作動を表す信号、出力軸２２の回転速度ＮＯＵＴに対応する車速Ｖを表す信号、自動変速部２０の作動油温ＴＯＩＬを表す信号、サイドブレーキ操作を表す信号、フットブレーキ操作を表す信号、触媒温度を表す信号、運転者の出力要求量に対応するアクセルペダルの操作量であるアクセル開度Ａccを表す信号、カム角を表す信号、スノーモード設定を表す信号、車両の前後加速度Ｇを表す信号、オートクルーズ走行を表す信号、車両の重量（車重）を表す信号、各車輪の車輪速を表す信号、変速機構１０を有段変速機として機能させるために差動部１１（動力分配機構１６）を有段変速状態（ロック状態）に切り換えるための有段スイッチ操作の有無を表す信号、変速機構１０を無段変速機として機能させるために差動部１１（動力分配機構１６）を無段変速状態（差動状態）に切り換えるための無段スイッチ操作の有無を表す信号、第１電動機Ｍ１の回転速度ＮＭ１（以下、第１電動機回転速度ＮＭ１という）を表す信号、第２電動機Ｍ２の回転速度ＮＭ２（以下、第２電動機回転速度ＮＭ２という）を表す信号、蓄電装置６０（図５参照）の充電容量（充電状態）ＳＯＣを表す信号などが、それぞれ供給される。
【００６２】
また、上記電子制御装置４０からは、エンジン出力を制御するエンジン出力制御装置４３（図５参照）への制御信号例えばエンジン８の吸気管９５に備えられた電子スロットル弁９６のスロットル弁開度θＴＨを操作するスロットルアクチュエータ９７への駆動信号や燃料噴射装置９８による吸気管９５或いはエンジン８の筒内への燃料供給量を制御する燃料供給量信号や点火装置９９によるエンジン８の点火時期を指令する点火信号、過給圧を調整するための過給圧調整信号、電動エアコンを作動させるための電動エアコン駆動信号、電動機Ｍ１およびＭ２の作動を指令する指令信号、シフトインジケータを作動させるためのシフトポジション（操作位置）表示信号、ギヤ比を表示させるためのギヤ比表示信号、スノーモードであることを表示させるためのスノーモード表示信号、制動時の車輪のスリップを防止するＡＢＳアクチュエータを作動させるためのＡＢＳ作動信号、Ｍモードが選択されていることを表示させるＭモード表示信号、差動部１１や自動変速部２０の油圧式摩擦係合装置の油圧アクチュエータを制御するために油圧制御回路４２（図５参照）に含まれる電磁弁を作動させるバルブ指令信号、この油圧制御回路４２の油圧源である電動油圧ポンプを作動させるための駆動指令信号、電動ヒータを駆動するための信号、クルーズコントロール制御用コンピュータへの信号等が、それぞれ出力される。
【００６３】
図５は、電子制御装置４０による制御機能の要部を説明する機能ブロック線図である。図５において、有段変速制御手段５４は、例えば記憶手段５６に予め記憶された図６の実線および一点鎖線に示す変速線図（関係、変速マップ）から車速Ｖおよび自動変速部２０の要求出力トルクＴＯＵＴで示される車両状態に基づいて、変速機構１０の変速を実行すべきか否かを判断し、例えば自動変速部２０の変速すべき変速段を判断し、その判断した変速段が得られるように自動変速部２０の自動変速制御を実行する。このとき、有段変速制御手段５４は、例えば図２に示す係合表に従って変速段が達成されるように、切換クラッチＣ０および切換ブレーキＢ０を除いた自動変速部２０の変速に関与する油圧式摩擦係合装置を係合および／または解放させる指令（変速出力指令、油圧指令）を、すなわち自動変速部２０の変速に関与する解放側係合装置を解放すると共に係合側係合装置を係合することにより変速を実行させる指令を油圧制御回路４２へ出力する。油圧制御回路４２は、その指令に従って、例えば変速に関与する解放側係合装置を解放すると共に、変速に関与する係合側係合装置を係合して自動変速部２０の変速が実行されるように、油圧制御回路４２内の電磁弁を作動させてその変速に関与する油圧式摩擦係合装置の油圧アクチュエータを作動させる。
【００６４】
ハイブリッド制御手段５２は、無段変速制御手段として機能するものであり、変速機構１０の無段変速状態すなわち差動部１１の差動状態においてエンジン８を効率のよい作動域で作動させる一方で、エンジン８と第２電動機Ｍ２との駆動力の配分や第１電動機Ｍ１の発電による反力を最適になるように変化させて差動部１１の電気的な無段変速機としての変速比γ０を制御する。例えば、そのときの走行車速において、運転者の出力要求量としてのアクセル開度Ａccや車速Ｖから車両の目標（要求）出力を算出し、その車両の目標出力と充電要求値から必要なトータル目標出力を算出し、そのトータル目標出力が得られるように伝達損失、補機負荷、第２電動機Ｍ２のアシストトルク等を考慮して目標エンジン出力を算出し、その目標エンジン出力が得られるエンジン回転速度ＮＥとエンジントルクＴＥとなるようにエンジン８を制御するとともに第１電動機Ｍ１の発電量を制御する。
【００６５】
ハイブリッド制御手段５２は、その制御を動力性能や燃費向上などのために自動変速部２０の変速段を考慮して実行する。このようなハイブリッド制御では、エンジン８を効率のよい作動域で作動させるために定まるエンジン回転速度ＮＥと車速Ｖおよび自動変速部２０の変速段で定まる伝達部材１８の回転速度とを整合させるために、差動部１１が電気的な無段変速機として機能させられる。すなわち、ハイブリッド制御手段５２は、エンジン回転速度ＮＥとエンジン８の出力トルク（エンジントルク）ＴＥとで構成される二次元座標内において無段変速走行の時に運転性と燃費性とを両立するように予め実験的に求められて例えば記憶手段に記憶された図７の破線に示すようなエンジン８の最適燃費率曲線（燃費マップ、関係）に沿ってエンジン８が作動させられるように、例えば目標出力（トータル目標出力、要求駆動力）を充足するために必要なエンジン出力を発生するためのエンジントルクＴＥとエンジン回転速度ＮＥとなるように、変速機構１０のトータル変速比γＴの目標値を定め、その目標値が得られるように自動変速部２０の変速段を考慮して差動部１１の変速比γ０を制御し、トータル変速比γＴをその変速可能な変化範囲内例えば１３〜０．５の範囲内で制御する。
【００６６】
このとき、ハイブリッド制御手段５２は、第１電動機Ｍ１により発電された電気エネルギをインバータ５８を通して蓄電装置６０や第２電動機Ｍ２へ供給するので、エンジン８の動力の主要部は機械的に伝達部材１８へ伝達されるが、エンジン８の動力の一部は第１電動機Ｍ１の発電のために消費されてそこで電気エネルギに変換され、インバータ５８を通してその電気エネルギが第２電動機Ｍ２へ供給され、その第２電動機Ｍ２が駆動されて第２電動機Ｍ２から伝達部材１８へ伝達される。この電気エネルギの発生から第２電動機Ｍ２で消費されるまでに関連する機器により、エンジン８の動力の一部を電気エネルギに変換し、その電気エネルギを機械的エネルギに変換するまでの電気パスが構成される。
【００６７】
特に、前記有段変速制御手段５４により自動変速部２０の変速が実行される場合には、自動変速部２０の変速比が段階的に変化させられることに伴ってその変速前後で変速機構１０のトータル変速比γＴが段階的に変化させられる。すなわちトータル変速比γＴの変化が自動変速部２０の変速前後で、無段的に変速比が変化され得る無段変速機のように連続的に変化させられるのではなく、変速比が段々に飛ぶように段階的にすなわち非連続的に変化させられる。トータル変速比γＴが段階的に変化することにより、連続的なトータル変速比γＴの変化に比較して速やかに駆動トルクを変化させることが可能となる。その反面、変速ショックが発生したり、最適燃費率曲線に沿うようにエンジン回転速度ＮＥを制御できず燃費が悪化する可能性がある。
【００６８】
そこで、ハイブリッド制御手段５２は、自動変速部２０の変速の際にはその変速前後でトータル変速比γＴの段階的変化が抑制されるように、すなわち自動変速部２０の変速前後でトータル変速比γＴの過渡変化が連続的に変化するように、自動変速部２０の変速に同期して差動部１１の変速を実行する。言い換えれば、ハイブリッド制御手段５２は、差動部１１の電気的ＣＶＴ機能（差動作用）によって自動変速部２０の変速前後でエンジン回転速度ＮＥの変化が抑制されるように、自動変速部２０の変速に同期して差動部１１の変速を実行する。
【００６９】
具体的には、ハイブリッド制御手段５２は、自動変速部２０の変速に伴う自動変速部２０の入力回転速度ＮＩＮである伝達部材１８（第２電動機Ｍ２）の回転速度の変化に拘わらずエンジン回転速度ＮＥの変化が所定の状態となるようにすなわち所定エンジン回転速度ＮＥ’以下となるように、自動変速部２０の変速に同期して差動部１１の変速を実行する。上記所定エンジン回転速度ＮＥ’は、自動変速部２０の変速前後でエンジン回転速度ＮＥの変化が抑制されてトータル変速比γＴの過渡変化が連続しているとされるエンジン回転速度ＮＥの変化として、予め実験的に求められて記憶されている差動部１１の変速時に変速比γ０を変化させるときの目標となる所定値である。
【００７０】
例えば、ハイブリッド制御手段５２は、自動変速部２０の変速前後でトータル変速比γＴの過渡変化が非連続的に変化しない為に、すなわち自動変速部２０の変速前後でエンジン回転速度ＮＥが略一定に維持されてトータル変速比γＴの過渡変化が連続的に変化する為に、自動変速部２０の変速に同期して、自動変速部２０の変速比γの変化方向とは反対方向の変速比γ０の変化となるように、例えば自動変速部２０の変速比γの段階的な変化に相当する変化分だけその変化方向とは反対方向に変速比γ０を変化させるように、差動部１１の変速を実行する。これにより、自動変速部２０の変速に伴って自動変速部２０の変速比γが段階的に変化させられても、自動変速部２０の変速前後でトータル変速比γＴの段階的な変化が抑制されて変速ショックが抑制される。このように、ハイブリッド制御手段５２は、自動変速部２０の変速に伴う伝達部材１８の回転速度（以下伝達部材回転速度Ｎ１８）の変化に拘わらず、自動変速部２０の変速前後でエンジン回転速度ＮＥが変化しないように、第１電動機回転速度ＮＭ１を変化させる電動機制御手段として機能する。
【００７１】
別の見方をすれば、一般的に有段変速機では図７の一点鎖線に示すようにエンジン８が作動させられ、無段変速機では例えば図７の破線に示すエンジン８の最適燃費率曲線に沿って或いは有段変速機に比較して最適燃費率曲線により近いところでエンジン８が作動させられる。従って、要求される駆動トルク（駆動力）に対してその駆動トルクを得るためのエンジントルクＴＥが無段変速機の方が有段変速機に比較して上記最適燃費率曲線により近くなるエンジン回転速度ＮＥで実現されるので、無段変速機の方が有段変速機より燃費が良いとされている。そこで、ハイブリッド制御手段５２は自動変速部２０の変速が実行されて自動変速部２０の変速比が段階的に変化させられたとしても、燃費が悪化しないように例えば図７の破線に示す最適燃費率曲線に沿ってエンジン８が作動させられるように差動部１１の変速比γ０を制御するのである。これにより、変速機構１０全体として無段変速機として機能させることが可能となるので、燃費が向上される。
【００７２】
上述したように、ハイブリッド制御手段５２は自動変速部２０の変速に同期して差動部１１の変速を実行する所謂同期変速制御を実行する。この差動部１１の同期変速制御の開始時期は、有段変速制御手段５４による自動変速部２０の変速判断から実際に油圧式摩擦係合装置の作動により伝達部材回転速度Ｎ１８が変化させられるまでの応答遅れ、すなわち自動変速部２０の変速過程においてその変速に伴って自動変速部２０の入力回転速度ＮＩＮの変化すなわち伝達部材回転速度Ｎ１８の変化が発生する所謂イナーシャ相が開始するまでの応答遅れが考慮されている。例えば、予め実験等によりその応答遅れが求められて記憶されていてもよいし、或いは実際に伝達部材回転速度Ｎ１８変化が発生したことで、ハイブリッド制御手段５２は差動部１１の同期変速制御を開始してもよい。
【００７３】
また、差動部１１の同期変速制御の終了時期は、自動変速部２０の変速過程におけるイナーシャ相が終了した時点である。例えば予め実験等により自動変速部２０の変速時間が求められて記憶されていてもよいし、或いは実際に伝達部材回転速度Ｎ１８変化が無くなったことで、すなわち実際の伝達部材回転速度Ｎ１８が変速後の伝達部材回転速度Ｎ１８に略同期したことで、ハイブリッド制御手段５２は差動部１１の同期変速制御を終了してもよい。
【００７４】
このように、ハイブリッド制御手段５２は、自動変速部２０の変速過程におけるイナーシャ相の期間内（区間内）すなわちイナーシャ相中に、例えば予め実験的に求められた期間中に或いは実際に伝達部材回転速度Ｎ１８変化が発生してから伝達部材回転速度Ｎ１８変化が無くなるまでの間に、差動部１１を変速して上記同期変速制御を実行する。言い換えれば、ハイブリッド制御手段５２は、自動変速部２０の変速に伴うイナーシャ相中に差動部１１の変速を実行するので、自動変速部２０の変速に同期して差動部１１の変速を実行することができる。
【００７５】
また、ハイブリッド制御手段５２は、車両の停止中又は走行中に拘わらず、差動部１１の電気的ＣＶＴ機能によって第１電動機回転速度ＮＭ１および／または第２電動機回転速度ＮＭ２を制御してエンジン回転速度ＮＥを略一定に維持したり任意の回転速度に回転制御させられる。言い換えれば、ハイブリッド制御手段５２は、エンジン回転速度ＮＥを略一定に維持したり任意の回転速度に制御しつつ第１電動機回転速度ＮＭ１および／または第２電動機回転速度ＮＭ２を任意の回転速度に回転制御することができる。
【００７６】
例えば、図３の共線図からもわかるようにハイブリッド制御手段５２は車両走行中にエンジン回転速度ＮＥを引き上げる場合には、車速Ｖ（駆動輪３８）に拘束される第２電動機回転速度ＮＭ２を略一定に維持しつつ第１電動機回転速度ＮＭ１の引き上げを実行する。また、ハイブリッド制御手段５２は自動変速部２０の変速中にエンジン回転速度ＮＥを略一定に維持する場合には、エンジン回転速度ＮＥを略一定に維持しつつ自動変速部２０の変速に伴う第２電動機回転速度ＮＭ２の変化とは反対方向に第１電動機回転速度ＮＭ１を変化させる。
【００７７】
また、ハイブリッド制御手段５２は、スロットル制御のためにスロットルアクチュエータ９７により電子スロットル弁９６を開閉制御させる他、燃料噴射制御のために燃料噴射装置９８による燃料噴射量や噴射時期を制御させ、点火時期制御のためにイグナイタ等の点火装置９９による点火時期を制御させる指令を単独で或いは組み合わせてエンジン出力制御装置４３に出力して、必要なエンジン出力を発生するようにエンジン８の出力制御を実行するエンジン出力制御手段を機能的に備えている。例えば、ハイブリッド制御手段５２は、基本的には図示しない予め記憶された関係からアクセル開度Ａccに基づいてスロットルアクチュエータ６０を駆動し、アクセル開度Ａccが増加するほどスロットル弁開度θＴＨを増加させるようにスロットル制御を実行する。また、このエンジン出力制御装置４３は、ハイブリッド制御手段５２による指令に従って、スロットル制御のためにスロットルアクチュエータ９７により電子スロットル弁９６を開閉制御する他、燃料噴射制御のために燃料噴射装置９８による燃料噴射を制御し、点火時期制御のためにイグナイタ等の点火装置９９による点火時期を制御するなどしてエンジントルク制御を実行する。
【００７８】
また、ハイブリッド制御手段５２は、エンジン８の停止又はアイドル状態に拘わらず、差動部１１の電気的ＣＶＴ機能（差動作用）によってモータ走行させることができる。例えば、前記図６の実線Ａは、車両の発進／走行用（以下、走行用という）の駆動力源をエンジン８と電動機例えば第２電動機Ｍ２とで切り換えるための、言い換えればエンジン８を走行用の駆動力源として車両を発進／走行（以下、走行という）させる所謂エンジン走行と第２電動機Ｍ２を走行用の駆動力源として車両を走行させる所謂モータ走行とを切り換えるための、エンジン走行領域とモータ走行領域との境界線である。この図６に示すエンジン走行とモータ走行とを切り換えるための境界線（実線Ａ）を有する予め記憶された関係は、車速Ｖと駆動力関連値である出力トルクＴＯＵＴとをパラメータとする二次元座標で構成された駆動力源切換線図（駆動力源マップ）の一例である。この駆動力源切換線図は、例えば同じ図６中の実線および一点鎖線に示す変速線図（変速マップ）と共に記憶手段５６に予め記憶されている。
【００７９】
そして、ハイブリッド制御手段５２は、例えば図６の駆動力源切換線図から車速Ｖと要求出力トルクＴＯＵＴとで示される車両状態に基づいてモータ走行領域とエンジン走行領域との何れであるかを判断してモータ走行或いはエンジン走行を実行する。このように、ハイブリッド制御手段５２によるモータ走行は、図６から明らかなように一般的にエンジン効率が高トルク域に比較して悪いとされる比較的低出力トルクＴＯＵＴ域すなわち低エンジントルクＴＥ域、或いは車速Ｖの比較的低車速域すなわち低負荷域で実行される。よって、通常はモータ発進がエンジン発進に優先して実行されるが、例えば車両発進時に図６の駆動力源切換線図のモータ走行領域を超える要求出力トルクＴＯＵＴすなわち要求エンジントルクＴＥとされる程大きくアクセルペダルが踏込操作されるような車両状態によってはエンジン発進も通常実行されるものである。
【００８０】
ハイブリッド制御手段５２は、このモータ走行時には、停止しているエンジン８の引き摺りを抑制して燃費を向上させるために、差動部１１の電気的ＣＶＴ機能（差動作用）によって、第１電動機回転速度ＮＭ１を負の回転速度で制御例えば空転させて、差動部１１の差動作用により必要に応じてエンジン回転速度ＮＥを零乃至略零に維持する。
【００８１】
また、ハイブリッド制御手段５２は、エンジン走行領域であっても、上述した電気パスによる第１電動機Ｍ１からの電気エネルギおよび／または蓄電装置６０からの電気エネルギを第２電動機Ｍ２へ供給し、その第２電動機Ｍ２を駆動して駆動輪３８にトルクを付与することにより、エンジン８の動力を補助するための所謂トルクアシストが可能である。よって、本実施例のエンジン走行には、エンジン走行＋モータ走行も含むものとする。尚、第２電動機Ｍ２によるトルクアシストは、モータ走行時にその第２電動機Ｍ２の出力トルクを増加するように行われても良い。
【００８２】
また、ハイブリッド制御手段５２は、車両の停止状態又は低車速状態に拘わらず、差動部１１の電気的ＣＶＴ機能によってエンジン８の運転状態を維持させられる。例えば、車両停止時に蓄電装置６０の充電容量ＳＯＣが低下して第１電動機Ｍ１による発電が必要となった場合には、エンジン８の動力により第１電動機Ｍ１が発電させられてその第１電動機Ｍ１の回転速度が引き上げられ、車速Ｖで一意的に決められる第２電動機回転速度ＮＭ２が車両停止状態により零（略零）となっても動力分配機構１６の差動作用によってエンジン回転速度ＮＥが自律回転可能な回転速度以上に維持される。
【００８３】
また、ハイブリッド制御手段５２は、蓄電装置６０からインバータ５８を介して供給される第１電動機Ｍ１への駆動電流を遮断して第１電動機Ｍ１を無負荷状態とする。第１電動機Ｍ１は無負荷状態とされると自由回転することすなわち空転することが許容され、差動部１１はトルクの伝達が不能な状態すなわち差動部１１内の動力伝達経路が遮断された状態と同等の状態であって、且つ差動部１１からの出力が発生されない状態とされる。すなわち、ハイブリッド制御手段５２は、第１電動機Ｍ１を無負荷状態とすることにより差動部１１をその動力伝達経路が電気的に遮断される中立状態（ニュートラル状態）とする電動機制御手段として機能する。
【００８４】
増速側ギヤ段判定手段６２は、変速機構１０を有段変速状態とする際に切換クラッチＣ０および切換ブレーキＢ０のいずれを係合させるかを判定するために、例えば車両状態に基づいて記憶手段５６に予め記憶された前記図６に示す変速線図に従って変速機構１０の変速されるべき変速段が、或いは前記有段変速制御手段５４により判断された変速機構１０の変速されるべき変速段が、増速側ギヤ段例えば第５速ギヤ段であるか否かを判定する。
【００８５】
切換制御手段５０は、車両状態に基づいて前記係合装置（切換クラッチＣ０、切換ブレーキＢ０）の係合／解放を切り換えることにより、前記無段変速状態と前記有段変速状態とを、すなわち前記差動状態と前記ロック状態とを選択的に切り換える。例えば、切換制御手段５０は、記憶手段５６に予め記憶された前記図６の破線および二点鎖線に示す切換線図（切換マップ、関係）から車速Ｖおよび要求出力トルクＴＯＵＴで示される車両状態に基づいて、変速機構１０（差動部１１）の切り換えるべき変速状態を判断して、すなわち変速機構１０を無段変速状態とする無段制御領域内であるか或いは変速機構１０を有段変速状態とする有段制御領域内であるかを判定して、変速機構１０を前記無段変速状態と前記有段変速状態とのいずれかに選択的に切り換える。このように、切換制御手段５０は、切換クラッチＣ０或いは切換ブレーキＢ０の係合／解放を切り換えることにより、差動部１１を非無段変速状態として差動部１１の電気的な差動装置としての作動を制限する、すなわち電気的な無段変速機としての作動を制限する差動制限手段として機能している。
【００８６】
具体的には、切換制御手段５０は有段変速制御領域内であると判定した場合は、ハイブリッド制御手段５２に対してハイブリッド制御或いは無段変速制御を不許可すなわち禁止とする信号を出力するとともに、有段変速制御手段５４に対しては、予め設定された有段変速時の変速を許可する。このときの有段変速制御手段５４は、記憶手段５６に予め記憶された例えば図６に示す変速線図に従って自動変速部２０の自動変速制御を実行する。例えば記憶手段５６に予め記憶された図２は、このときの変速において選択される油圧式摩擦係合装置すなわちＣ０、Ｃ１、Ｃ２、Ｂ０、Ｂ１、Ｂ２、Ｂ３の作動の組み合わせを示している。すなわち、変速機構１０全体すなわち差動部１１および自動変速部２０が所謂有段式自動変速機として機能し、図２に示す係合表に従って変速段が達成される。
【００８７】
例えば、増速側ギヤ段判定手段６２により第５速ギヤ段が判定される場合には、変速機構１０全体として変速比が１．０より小さな増速側ギヤ段所謂オーバードライブギヤ段が得られるために切換制御手段５０は差動部１１が固定の変速比γ０例えば変速比γ０が０．７の副変速機として機能させられるように切換クラッチＣ０を解放させ且つ切換ブレーキＢ０を係合させる指令を油圧制御回路４２へ出力する。また、増速側ギヤ段判定手段６２により第５速ギヤ段でないと判定される場合には、変速機構１０全体として変速比が１．０以上の減速側ギヤ段が得られるために切換制御手段５０は差動部１１が固定の変速比γ０例えば変速比γ０が１の副変速機として機能させられるように切換クラッチＣ０を係合させ且つ切換ブレーキＢ０を解放させる指令を油圧制御回路４２へ出力する。このように、切換制御手段５０によって変速機構１０が有段変速状態に切り換えられるとともに、その有段変速状態における２種類の変速段のいずれかとなるように選択的に切り換えられて、差動部１１が副変速機として機能させられ、それに直列の自動変速部２０が有段変速機として機能することにより、変速機構１０全体が所謂有段式自動変速機として機能させられる。
【００８８】
しかし、切換制御手段５０は、変速機構１０を無段変速状態に切り換える無段変速制御領域内であると判定した場合は、変速機構１０全体として無段変速状態が得られるために差動部１１を無段変速状態として無段変速可能とするように切換クラッチＣ０および切換ブレーキＢ０を解放させる指令を油圧制御回路４２へ出力する。同時に、ハイブリッド制御手段５２に対してハイブリッド制御を許可する信号を出力するとともに、有段変速制御手段５４には、予め設定された無段変速時の変速段に固定する信号を出力するか、或いは記憶手段５６に予め記憶された例えば図６に示す変速線図に従って自動変速部２０を自動変速することを許可する信号を出力する。この場合、有段変速制御手段５４により、図２の係合表内において切換クラッチＣ０および切換ブレーキＢ０の係合を除いた作動により自動変速が行われる。このように、切換制御手段５０により無段変速状態に切り換えられた差動部１１が無段変速機として機能し、それに直列の自動変速部２０が有段変速機として機能することにより、適切な大きさの駆動力が得られると同時に、自動変速部２０の第１速、第２速、第３速、第４速の各ギヤ段に対しその自動変速部２０の入力回転速度ＮＩＮすなわち伝達部材回転速度Ｎ１８が無段的に変化させられて各ギヤ段は無段的な変速比幅が得られる。したがって、その各ギヤ段の間が無段的に連続変化可能な変速比となって変速機構１０全体として無段変速状態となりトータル変速比γＴが無段階に得られるようになる。
【００８９】
ここで前記図６について詳述すると、図６は自動変速部２０の変速判断の基となる記憶手段５６に予め記憶された変速線図（関係、変速マップ）であり、車速Ｖと駆動力関連値である要求出力トルクＴＯＵＴとをパラメータとする二次元座標で構成された変速線図の一例である。図６の実線はアップシフト線であり一点鎖線はダウンシフト線である。
【００９０】
また、図６の破線は切換制御手段５０による有段制御領域と無段制御領域との判定のための判定車速Ｖ１および判定出力トルクＴ１を示している。つまり、図６の破線はハイブリッド車両の高速走行を判定するための予め設定された高速走行判定値である判定車速Ｖ１の連なりである高車速判定線と、ハイブリッド車両の駆動力に関連する駆動力関連値例えば自動変速部２０の出力トルクＴＯＵＴが高出力となる高出力走行を判定するための予め設定された高出力走行判定値である判定出力トルクＴ１の連なりである高出力走行判定線とを示している。さらに、図６の破線に対して二点鎖線に示すように有段制御領域と無段制御領域との判定にヒステリシスが設けられている。つまり、この図６は判定車速Ｖ１および判定出力トルクＴ１を含む、車速Ｖと出力トルクＴＯＵＴとをパラメータとして切換制御手段５０により有段制御領域と無段制御領域とのいずれであるかを領域判定するための予め記憶された切換線図（切換マップ、関係）である。なお、この切換線図を含めて変速マップとして記憶手段５６に予め記憶されてもよい。また、この切換線図は判定車速Ｖ１および判定出力トルクＴ１の少なくとも１つを含むものであってもよいし、車速Ｖおよび出力トルクＴＯＵＴの何れかをパラメータとする予め記憶された切換線であってもよい。
【００９１】
上記変速線図、切換線図、或いは駆動力源切換線図等は、マップとしてではなく実際の車速Ｖと判定車速Ｖ１とを比較する判定式、出力トルクＴＯＵＴと判定出力トルクＴ１とを比較する判定式等として記憶されてもよい。例えば、この場合には、切換制御手段５０は、車両状態例えば実際の車速Ｖが判定車速Ｖ１を越えたか否かを判定し、判定車速Ｖ１を越えたときには例えば切換ブレーキＢ０を係合して変速機構１０を有段変速状態とする。また、切換制御手段５０は、車両状態例えば自動変速部２０の出力トルクＴＯＵＴが判定出力トルクＴ１を越えたか否かを判定し、判定出力トルクＴ１を越えたときには例えば切換クラッチＣ０を係合して変速機構１０を有段変速状態とする。
【００９２】
また、差動部１１を電気的な無段変速機として作動させるための電動機等の電気系の制御機器の故障や機能低下時、例えば第１電動機Ｍ１における電気エネルギの発生からその電気エネルギが機械的エネルギに変換されるまでの電気パスに関連する機器の故障や機能低下、すなわち第１電動機Ｍ１、第２電動機Ｍ２、インバータ５８、蓄電装置６０、それらを接続する伝送路などの故障（フェイル）や、故障とか低温による機能低下が発生したような車両状態となる場合には、無段制御領域であっても車両走行を確保するために切換制御手段５０は変速機構１０を優先的に有段変速状態としてもよい。例えば、この場合には、切換制御手段５０は、差動部１１を電気的な無段変速機として作動させるための電動機等の電気系の制御機器の故障や機能低下が発生したか否かを判定し、その故障や機能低下が発生したときには変速機構１０を有段変速状態とする。
【００９３】
前記駆動力関連値とは、車両の駆動力に１対１に対応するパラメータであって、駆動輪３８での駆動トルク或いは駆動力のみならず、例えば自動変速部２０の出力トルクＴＯＵＴ、エンジントルクＴＥ、車両加速度Ｇや、例えばアクセル開度Ａcc或いはスロットル弁開度θＴＨ（或いは吸入空気量、空燃比、燃料噴射量）とエンジン回転速度ＮＥとに基づいて算出されるエンジントルクＴＥなどの実際値や、アクセル開度Ａcc或いはスロットル弁開度θＴＨ等に基づいて算出される要求（目標）エンジントルクＴＥ、自動変速部２０の要求（目標）出力トルクＴＯＵＴ、要求駆動力等の推定値であってもよい。また、上記駆動トルクは出力トルクＴＯＵＴ等からデフ比、駆動輪３８の半径等を考慮して算出されてもよいし、例えばトルクセンサ等によって直接検出されてもよい。上記他の各トルク等も同様である。
【００９４】
また、前記判定車速Ｖ１は、例えば高速走行において変速機構１０が無段変速状態とされるとかえって燃費が悪化するのを抑制するように、その高速走行において変速機構１０が有段変速状態とされるように設定されている。つまり、高速走行においては、電気パスを含まないことにより変速機構１０を伝達効率の良い遊星歯車式の有段変速機として有効に利用するものである。
【００９５】
また、前記判定トルクＴ１は、例えば車両の高出力走行において第１電動機Ｍ１の反力トルクをエンジン８の高出力域まで対応させないで第１電動機Ｍ１を小型化するために、第１電動機Ｍ１からの電気エネルギの最大出力を小さくして配設可能とされた第１電動機Ｍ１の特性に応じて設定されている。或いはまた、その判定トルクＴ１は、例えば車両の高出力走行においては運転者の燃費に対する要求より変速に伴ってエンジン回転速度が変化する変速フィーリングに対する要求が重視されるとの考え方から、その高出力走行において変速機構１０が有段変速状態とされるように設定されている。つまり、高出力走行においては、変速機構１０を無段変速機として機能させることより変速比が段階的に変化させられる有段変速機として機能させるものである。
【００９６】
図８は、エンジン回転速度ＮＥとエンジントルクＴＥとをパラメータとして切換制御手段５０により有段制御領域と無段制御領域とのいずれであるかを領域判定するための境界線としてのエンジン出力線を有し、例えば記憶手段５６に予め記憶された切換線図（切換マップ、関係）である。切換制御手段５０は、図６の切換線図に替えてこの図８の切換線図からエンジン回転速度ＮＥとエンジントルクＴＥとに基づいて、それらのエンジン回転速度ＮＥとエンジントルクＴＥとで表される車両状態が無段制御領域内であるか或いは有段制御領域内であるかを判定してもよい。また、この図８は図６の破線を作るための概念図でもある。言い換えれば、図６の破線は図８の関係図（マップ）に基づいて車速Ｖと出力トルクＴＯＵＴとをパラメータとする二次元座標上に置き直された切換線でもある。
【００９７】
この図６の関係に示されるように、出力トルクＴＯＵＴが予め設定された判定出力トルクＴ１以上の高トルク領域、或いは車速Ｖが予め設定された判定車速Ｖ１以上の高車速領域が、有段制御領域として設定されているので有段変速走行がエンジン８の比較的高トルクとなる高駆動トルク時、或いは車速の比較的高車速時において実行され、無段変速走行がエンジン８の比較的低トルクとなる低駆動トルク時、或いは車速の比較的低車速時すなわちエンジン８の常用出力域において実行されるようになっている。
【００９８】
同様に、図８の関係に示されるように、エンジントルクＴＥが予め設定された所定値ＴＥ１以上の高トルク領域、エンジン回転速度ＮＥが予め設定された所定値ＮＥ１以上の高回転領域、或いはそれらエンジントルクＴＥおよびエンジン回転速度ＮＥから算出されるエンジン出力が所定以上の高出力領域が、有段制御領域として設定されているので、有段変速走行がエンジン８の比較的高トルク、比較的高回転速度、或いは比較的高出力時において実行され、無段変速走行がエンジン８の比較的低トルク、比較的低回転速度、或いは比較的低出力時すなわちエンジン８の常用出力域において実行されるようになっている。図８における有段制御領域と無段制御領域との間の境界線は、高車速判定値の連なりである高車速判定線および高出力走行判定値の連なりである高出力走行判定線に対応している。
【００９９】
これによって、例えば、車両の低中速走行および低中出力走行では、変速機構１０が無段変速状態とされて車両の燃費性能が確保される。また、実際の車速Ｖが前記判定車速Ｖ１を越えるような高速走行では、変速機構１０が有段の変速機として作動する有段変速状態とされて専ら機械的な動力伝達経路でエンジン８の出力が駆動輪３８へ伝達され、電気的な無段変速機として作動させる場合に発生する動力と電気エネルギとの間の変換損失が抑制されて燃費が向上させられる。
【０１００】
また、出力トルクＴＯＵＴなどの前記駆動力関連値が判定トルクＴ１を越えるような高出力走行では変速機構１０が有段の変速機として作動する有段変速状態とされ専ら機械的な動力伝達経路でエンジン８の出力が駆動輪３８へ伝達されて電気的な無段変速機として作動させる領域が車両の低中速走行および低中出力走行となって、第１電動機Ｍ１が発生すべき電気的エネルギ換言すれば第１電動機Ｍ１が伝える電気的エネルギの最大値を小さくできて第１電動機Ｍ１或いはそれを含む車両の駆動装置が一層小型化される。
【０１０１】
つまり、前記所定値ＴＥ１が第１電動機Ｍ１が反力トルクを受け持つことができるエンジントルクＴＥの切換判定値として予め設定されると、エンジントルクＴＥがその所定値ＴＥ１を超えるような高出力走行では、差動部１１が有段変速状態とされるため、第１電動機Ｍ１は差動部１１が無段変速状態とされているときのようにエンジントルクＴＥに対する反力トルクを受け持つ必要が無いので、第１電動機Ｍ１の大型化が防止されつつその耐久性の低下が抑制される。言い換えれば、本実施例の第１電動機Ｍ１は、その最大出力がエンジントルクＴＥの最大値に対して必要とされる反力トルク容量に比較して小さくされることで、すなわちその最大出力を上記所定値ＴＥ１を超えるようなエンジントルクＴＥに対する反力トルク容量に対応させないことで、小型化が実現されている。
【０１０２】
尚、上記第１電動機Ｍ１の最大出力は、この第１電動機Ｍ１の使用環境に許容されるように実験的に求められて設定されている第１電動機Ｍ１の定格値である。また、上記エンジントルクＴＥの切換判定値は、第１電動機Ｍ１が反力トルクを受け持つことができるエンジントルクＴＥの最大値またはそれよりも所定値低い値であって、第１電動機Ｍ１の耐久性の低下が抑制されるように予め実験的に求められた値である。
【０１０３】
また、他の考え方として、この高出力走行においては燃費に対する要求より運転者の駆動力に対する要求が重視されるので、無段変速状態より有段変速状態（定変速状態）に切り換えられるのである。これによって、ユーザは、例えば図９に示すような有段自動変速走行におけるアップシフトに伴うエンジン回転速度ＮＥの変化すなわち変速に伴うリズミカルなエンジン回転速度ＮＥの変化が楽しめる。
【０１０４】
図１０は複数種類のシフトポジションを人為的操作により切り換える切換装置４６の一例を示す図である。この切換装置４６は、例えば運転席の横に配設され、複数種類のシフトポジションを選択するために操作されるシフトレバー４８を備えている。そのシフトレバー４８は、例えば図２の係合作動表に示されるように第１クラッチＣ１および第２クラッチＣ２のいずれの係合装置（入力クラッチ）も係合されないような変速機構１０内つまり自動変速部２０内の動力伝達経路が遮断されたニュートラル状態すなわち中立状態とし且つ自動変速部２０の出力軸２２をロックするための駐車ポジション「Ｐ（パーキング）」、後進走行のための後進走行ポジション「Ｒ（リバース）」、変速機構１０内の動力伝達経路が遮断された中立状態とする中立ポジション「Ｎ（ニュートラル）」、前進自動変速走行ポジション「Ｄ（ドライブ）」、または前進手動変速走行ポジション「Ｍ（マニュアル）」へ手動操作されるように設けられている。
【０１０５】
例えば、上記シフトレバー４８の各シフトポジションへの手動操作に連動してそのシフトレバー４８に機械的に連結された油圧制御回路４２内のマニュアル弁が切り換えられて、図２の係合作動表に示す後進ギヤ段「Ｒ」、ニュートラル「Ｎ」、前進ギヤ段「Ｄ」等が成立するように油圧制御回路４２が機械的に切り換えられる。また、「Ｄ」または「Ｍ」ポジションにおける図２の係合作動表に示す1st乃至5thの各変速段は、油圧制御回路４２内の電磁弁が電気的に切り換えられることにより成立させられる。
【０１０６】
上記「Ｐ」乃至「Ｍ」ポジションに示す各シフトポジションにおいて、「Ｐ」ポジションおよび「Ｎ」ポジションは、車両を走行させないときに選択される非走行ポジションであって、例えば図２の係合作動表に示されるように第１クラッチＣ１および第２クラッチＣ２のいずれもが解放されるような自動変速部２０内の動力伝達経路が遮断された車両を駆動不能とする第１クラッチＣ１および第２クラッチＣ２による動力伝達経路の動力伝達遮断状態へ切換えを選択するための非駆動ポジションである。また、「Ｒ」ポジション、「Ｄ」ポジションおよび「Ｍ」ポジションは、車両を走行させるときに選択される走行ポジションであって、例えば図２の係合作動表に示されるように第１クラッチＣ１および第２クラッチＣ２の少なくとも一方が係合されるような自動変速部２０内の動力伝達経路が連結された車両を駆動可能とする第１クラッチＣ１および／または第２クラッチＣ２による動力伝達経路の動力伝達可能状態へ切換えを選択するための駆動ポジションでもある。
【０１０７】
具体的には、シフトレバー４８が「Ｐ」ポジション或いは「Ｎ」ポジションから「Ｒ」ポジションへ手動操作されることで、第２クラッチＣ２が係合されて自動変速部２０内の動力伝達経路が動力伝達遮断状態から動力伝達可能状態とされ、シフトレバー４８が「Ｎ」ポジションから「Ｄ」ポジションへ手動操作されることで、少なくとも第１クラッチＣ１が係合されて自動変速部２０内の動力伝達経路が動力伝達遮断状態から動力伝達可能状態とされる。また、「Ｄ」ポジションは最高速走行ポジションでもあり、「Ｍ」ポジションにおける例えば「４」レンジ乃至「Ｌ」レンジはエンジンブレーキ効果が得られるエンジンブレーキレンジでもある。
【０１０８】
上記「Ｍ」ポジションは、例えば車両の前後方向において上記「Ｄ」ポジションと同じ位置において車両の幅方向に隣接して設けられており、シフトレバー４８が「Ｍ」ポジションへ操作されることにより、「Ｄ」レンジ乃至「Ｌ」レンジの何れかがシフトレバー４８の操作に応じて変更される。具体的には、この「Ｍ」ポジションには、車両の前後方向にアップシフト位置「＋」、およびダウンシフト位置「−」が設けられており、シフトレバー４８がそれ等のアップシフト位置「＋」またはダウンシフト位置「−」へ操作されると、「Ｄ」レンジ乃至「Ｌ」レンジの何れかが選択される。例えば、「Ｍ」ポジションにおいて選択される「Ｄ」レンジ乃至「Ｌ」レンジの５つの変速レンジは、変速機構１０の自動変速制御が可能なトータル変速比γＴの変化範囲における高速側（変速比が最小側）のトータル変速比γＴが異なる複数種類の変速レンジであり、また自動変速部２０の変速が可能な最高速側変速段が異なるように変速段（ギヤ段）の変速範囲を制限するものである。また、シフトレバー４８はスプリング等の付勢手段により上記アップシフト位置「＋」およびダウンシフト位置「−」から、「Ｍ」ポジションへ自動的に戻されるようになっている。また、切換装置４６にはシフトレバー４８の各シフトポジションを検出するためのシフトポジションセンサ４９が備えられており、そのシフトレバー４８のシフトポジションＰＳＨを表す信号や「Ｍ」ポジションにおける操作回数等を電子制御装置４０へ出力する。
【０１０９】
例えば、「Ｄ」ポジションがシフトレバー４８の操作により選択された場合には、図６に示す予め記憶された変速マップや切換マップに基づいて切換制御手段５０により変速機構１０の変速状態の自動切換制御が実行され、ハイブリッド制御手段５２により動力分配機構１６の無段変速制御が実行され、有段変速制御手段５４により自動変速部２０の自動変速制御が実行される。例えば、変速機構１０が有段変速状態に切り換えられる有段変速走行時には変速機構１０が例えば図２に示すような第１速ギヤ段乃至第５速ギヤ段の範囲で自動変速制御され、或いは変速機構１０が無段変速状態に切り換えられる無段変速走行時には変速機構１０が動力分配機構１６の無段的な変速比幅と自動変速部２０の第１速ギヤ段乃至第４速ギヤ段の範囲で自動変速制御される各ギヤ段とで得られる変速機構１０の変速可能なトータル変速比γＴの変化範囲内で自動変速制御される。この「Ｄ」ポジションは変速機構１０の自動変速制御が実行される制御様式である自動変速走行モード（自動モード）を選択するシフトポジションでもある。
【０１１０】
或いは、「Ｍ」ポジションがシフトレバー４８の操作により選択された場合には、変速レンジの最高速側変速段或いは変速比を越えないように、切換制御手段５０、ハイブリッド制御手段５２、および有段変速制御手段５４により変速機構１０の各変速レンジで変速可能なトータル変速比γＴの範囲で自動変速制御される。例えば、変速機構１０が有段変速状態に切り換えられる有段変速走行時には変速機構１０が各変速レンジで変速機構１０が変速可能なトータル変速比γＴの範囲で自動変速制御され、或いは変速機構１０が無段変速状態に切り換えられる無段変速走行時には変速機構１０が動力分配機構１６の無段的な変速比幅と各変速レンジに応じた自動変速部２０の変速可能な変速段の範囲で自動変速制御される各ギヤ段とで得られる変速機構１０の各変速レンジで変速可能なトータル変速比γＴの範囲で自動変速制御される。この「Ｍ」ポジションは変速機構１０の手動変速制御が実行される制御様式である手動変速走行モード（手動モード）を選択するシフトポジションでもある。
【０１１１】
このように、本実施例の変速機構１０は、差動部１１に加え自動変速部２０を備えており、有段変速制御手段５４により例えば図６に示す変速線図から車両状態に基づいて自動変速部２０の変速が実行される。そして、この自動変速部２０の変速においては、変速ショックを抑制するために自動変速部２０の入力回転速度ＮＩＮが所定の変化状態となるように、自動変速部２０の入力回転速度ＮＩＮの吹き上がり量（以下、吹き量という）Ｆに基づいて自動変速部２０の変速に関与する解放側係合装置や係合側係合装置の係合圧が制御される所謂オーバーラップ制御が実施される。
【０１１２】
上記吹き量Ｆは、解放側係合装置の係合トルクと係合側係合装置の係合トルクとの重なり具合としてのオーバーラップ量に相当するものであり、オーバーラップ量が大きい程吹き量が小さくなり、反対にオーバーラップ量が小さい程吹き量が大きくなる。また、上記自動変速部２０の入力回転速度ＮＩＮの所定の変化状態は、車速Ｖと自動変速部２０の変速比γとで一意的に定められる自動変速部２０の入力回転速度ＮＩＮが理想状態となるように、例えば自動変速部２０の入力回転速度ＮＩＮの変化率ＮＩＮ’（＝dＮＩＮ/dt）が、自動変速部２０の変速中に、フィーリングが良いとされているような入力回転速度変化率ＮＩＮ’が大きくなる速やかな変速応答性と、変速ショックが抑制し易いとされているような入力回転速度変化率ＮＩＮ’が小さくなる緩やかな変速応答性とが両立するように、すなわち変速時間の短縮と変速ショックの抑制とが両立するように、予め実験的に求められて定められている変化状態例えば所定の変化率である。
【０１１３】
具体的には、有段変速制御手段５４は、前述した機能に加えて、自動変速部２０の変速時の自動変速部２０の入力回転速度ＮＩＮの吹き上がり量Ｆを変更する吹き量制御手段６４を備え、変速ショックを抑制するために自動変速部２０の入力回転速度ＮＩＮが所定の変化状態となるように自動変速部２０の変速を実行する。
【０１１４】
前記吹き量制御手段６４は、有段変速制御手段５４による自動変速部２０の変速中に自動変速部２０の入力回転速度ＮＩＮが所定の変化状態とされるように、その変速の為に有段変速制御手段５４により油圧制御回路４２へ出力される油圧指令（変速出力）に用いられる自動変速部２０の変速に関与する解放側係合装置や係合側係合装置の係合圧や解放と係合とのタイミングを変更する。
【０１１５】
例えば、吹き量制御手段６４は、有段変速制御手段５４による自動変速部２０の変速中のイナーシャ相開始時に発生する自動変速部２０の入力回転速度ＮＩＮの吹き量Ｆに基づいて、次回の自動変速部２０の変速に用いられる解放側係合装置や係合側係合装置の係合圧を学習する。また、吹き量制御手段６４は、エンジントルクＴＥや車速Ｖ別に整理された係合圧の学習値マップにおいて、学習の対象となった変速時のエンジントルクＴＥや車速Ｖに対応する次回の自動変速部２０の変速に用いられる係合圧の学習値を、今回学習した係合圧値に書き換えて新たに学習値として記憶する。
【０１１６】
つまり、吹き量制御手段６４は、その入力回転速度ＮＩＮの吹き量Ｆに基づいて、解放側係合装置や係合側係合装置の係合圧や解放と係合とのタイミングを変更することにより自動変速部２０の変速中のオーバーラップ量を調整する。
【０１１７】
例えば、自動変速部２０の変速中の入力回転速度ＮＩＮの吹き量Ｆが所定吹き量より大きい場合には、その自動変速部２０の変速の状態がオーバーラップ量が小さなアンダーラップ傾向であることから、吹き量制御手段６４は吹き量Ｆを所定吹き量とするために、自動変速部２０の変速の状態がオーバーラップ量が大きくなるオーバーラップ側（タイアップ側）へ変更されて吹き量Ｆが小さくされるように、次回の自動変速部２０の変速に用いられる解放側係合装置および／または係合側係合装置の係合圧を高くする。
【０１１８】
反対に、自動変速部２０の変速中の入力回転速度ＮＩＮの吹き量Ｆが所定吹き量より小さい場合には、自動変速部２０の変速の状態がオーバーラップ量が大きなオーバーラップ（タイアップ）傾向であることから、吹き量制御手段６４は吹き量Ｆを所定吹き量とするために、自動変速部２０の変速の状態がオーバーラップ量が小さくなるアンダーラップ側へ変更されて吹き量Ｆが大きくされるように、次回の自動変速部２０の変速に用いられる解放側係合装置および／または係合側係合装置の係合圧を低くする。
【０１１９】
上記所定吹き量は、変速ショックの抑制や変速フィーリングの向上を目的として予め実験的に求めて定められた吹き量の目標値である。
【０１２０】
また、吹き量制御手段６４は、自動変速部２０の入力回転速度ＮＩＮの実際値ＮＩＮＲと、実際の自動変速部２０の出力軸回転速度ＮＯＵＴと自動変速部２０の変速比γとから求められる自動変速部２０の入力回転速度ＮＩＮの計算値ＮＩＮＣ（＝γ×ＮＯＵＴ）との回転差ΔＮＩＮ（＝ＮＩＮＲ−ＮＩＮＣ）を算出し、そのΔＮＩＮの最大値ΔＮＩＮＭＡＸを入力回転速度ＮＩＮの吹き量Ｆとして決定する。また、吹き量制御手段６４は、例えば随時算出されるΔＮＩＮにおいて、ΔＮＩＮ（n-1）＜ΔＮＩＮ（n）且つΔＮＩＮ（n）＞ΔＮＩＮ（n+1）となったときのΔＮＩＮ（n）を最大値ΔＮＩＮＭＡＸとして求める。
【０１２１】
このように、吹き量制御手段６４により変速ショックの抑制や変速フィーリングの向上のために自動変速部２０の変速に用いられる解放側係合装置および／または係合側係合装置の係合圧が学習される為に、自動変速部２０の変速中の状態がイナーシャ相開始時に自動変速部２０の入力回転速度ＮＩＮの吹き上がり（以下、吹きという）が発生する所謂吹き状態すなわちアンダーラップ状態となるように行われる。つまり、有段変速制御手段５４は、吹き量制御手段６４により自動変速部２０の変速中の入力回転速度ＮＩＮの吹き量Ｆが所定吹き量となるように学習された解放側係合装置および／または係合側係合装置の係合圧を用いて、そのクラッツウクラッチ変速を入力回転速度ＮＩＮの吹き状態で行う。
【０１２２】
このとき、学習された解放側係合装置および／または係合側係合装置の係合圧を用いて自動変速部２０の変速が実行された場合に、その変速中にエンジントルクＴＥが変動するとトルクの受け渡しのバランスが崩れて変速ショックが発生する可能性がある。
【０１２３】
例えば、自動変速部２０の変速中にエンジントルクＴＥが変動するとトルクの受け渡しのバランスが崩れて入力回転速度ＮＩＮの吹きが発生せず、自動変速部２０内の回転要素の回転速度が一時的に落ち込むような所謂タイアップ状態で行われる可能性がある。自動変速部２０の変速がタイアップ状態で行われると、一時的に出力トルクＴＯＵＴの落ち込みが生じて変速ショックの一因となる可能性がある。
【０１２４】
上記エンジントルクＴＥの変動としては、例えばエンジン８の周期的な気筒点火（爆発）に伴って常時発生している周期的な振動（脈動）が想定される。また、例えばエンジン８の運転空燃比（以下空燃比という）Ａ／Ｆ（吸入空気量／燃料噴射量）が制御可能な場合には、軽負荷走行や中・高負荷走行に応じて空燃比Ａ／Ｆが理論空燃比（ストイキ）よりも大きい希薄状態（リーン状態）と理論空燃比よりも小さいリッチ状態とに切り換えられることによるトルク変動やリーン状態での運転中（すなわちリーンバーン運転中）に空燃比Ａ／Ｆを一時的にリッチ状態とする所謂リッチスパイクに伴うエンジントルクＴＥの一時的な増大が想定される。また、例えばエンジン８の負荷状態に応じて燃料供給を停止させて気筒を選択的に休止させることによりエンジン８の作動気筒数が制御可能な可変気筒エンジンである場合には、軽負荷走行や中・高負荷走行に応じて一部の気筒乃至全気筒への燃料供給を停止して作動気筒数を減少させる部分気筒運転（減筒運転或いは休筒運転）とすべての気筒を運転する全気筒運転とに切り換えられることによるトルク変動が想定される。
【０１２５】
このようなエンジントルクＴＥの変動は、一般的な有段式自動変速機とエンジンとの間の動力伝達経路にトルクコンバータやフルードカップリング等の流体伝動装置を備える動力伝達装置においては、その流体伝動装置によってある程度エンジントルクＴＥの変動（脈動）が吸収されたり、エンジントルクＴＥの一時的な増大（変動）が直接的に有段式自動変速機の入力軸に伝達されないので、変速中のエンジントルクＴＥの変動の影響による変速ショックの発生が抑制されると考えられる。
【０１２６】
しかしながら、本実施例の変速機構１０は、エンジン８と自動変速部２０との間の動力伝達経路に上記流体伝動装置を備えていないことから、すなわちエンジン８から自動変速部２０内への動力伝達経路が入力クラッチを介して直接的に連結される動力伝達系であることから、エンジントルクＴＥの変動が直接的に自動変速部２０内へ伝達される可能性があり、変速中のエンジントルクＴＥの変動の影響による変速ショックが発生する可能性がある。
【０１２７】
そこで、自動変速部２０の変速中のエンジントルクＴＥの変動による変速ショックの発生が抑制される為に、前記入力クラッチが伝えられ得るトルクを超えてエンジントルクＴＥが変化しても、その超えた分のエンジントルクＴＥが自動変速部２０内へ伝達されないように、前記入力クラッチのトルク容量を低下させて自動変速部２０の変速中の自動変速部２０内への伝達トルクを所定値以下に制限する。見方を換えれば、自動変速部２０内への伝達トルクを所定値以下に制限する為に、前記入力クラッチのトルク容量を低下させて自動変速部２０の変速中に入力クラッチをエンジントルク変動のリミッタとして作動させる。
【０１２８】
具体的には、変速開始判定手段８０は、前記有段変速制御手段５４による自動変速部２０の変速が開始したか否かを、例えば有段変速制御手段５４により図６に示す変速線図から車両状態に基づいて自動変速部２０の変速すべき変速段が判断され、その判断した変速段が得られるように自動変速部２０の変速に関与する解放側係合装置を解放すると共に係合側係合装置を係合することにより自動変速部２０の変速を実行させる指令が油圧制御回路４２へ出力されたか否かに基づいて判断する。
【０１２９】
入力クラッチ制御手段８２は、上記変速開始判定手段８０により自動変速部２０の変速が開始したと判定された場合には、自動変速部２０の変速中に、その自動変速部２０への伝達トルクを所定値以下に制限する為に、前記入力クラッチのトルク容量を一時的に低下させる。この伝達トルクの所定値は、その所定値を超えるエンジントルクＴＥが自動変速部２０内へ伝達されないことにより、エンジントルクＴＥの変動に対して自動変速部２０への伝達トルクの変動が抑制される為の予め実験的に求められた伝達トルク制限値（伝達トルク上限値）である。つまり、入力クラッチ制御手段８２は、変速開始判定手段８０により自動変速部２０の変速が開始したと判定された場合には、自動変速部２０の変速中に、前記入力クラッチを一時的にスリップ制御させる。言い換えれば、入力クラッチ制御手段８２は、変速開始判定手段８０により自動変速部２０の変速が開始したと判定された場合には、自動変速部２０の変速中に、前記入力クラッチを一時的にトルク制限装置（トルクリミッタ）として作動させる。
【０１３０】
例えば、入力クラッチ制御手段８２は、自動変速部２０の変速開始直後から係合されている前記入力クラッチの係合圧を予め実験的に求めて定められたエンジントルクＴＥの変動の影響を抑制する為の所定期間だけ一時的に低下させる指令を、言い換えれば所定期間だけ一時的に入力クラッチの係合率を低下するすなわちスリップ率ΔＮを上げる指令を、油圧制御回路４２へ出力する。
【０１３１】
また、自動変速部２０の変速に関与する解放側係合装置と係合側係合装置との係合圧に学習された係合圧が変速中に変更されることなく用いられて自動変速部２０の変速が実行されたときの変速ショックを抑制するという観点から、この入力クラッチは自動変速部２０の変速に関与しない係合装置である。
【０１３２】
従って、前述したように本実施例の入力クラッチは第１クラッチＣ１や第２クラッチＣ２であるが、自動変速部２０の変速は第１速ギヤ段乃至第４速ギヤ段にて実行され、且つ第３速ギヤ段と第４速ギヤ段との間の自動変速部２０の変速では第２クラッチＣ２が関与することから、本実施例では入力クラッチ制御手段８２により自動変速部２０の変速中にトルク容量が一時的に低下させられる入力クラッチは第１クラッチＣ１が想定される。
【０１３３】
また、入力クラッチ制御手段８２は、入力クラッチ（第１クラッチＣ１）が伝えられ得るトルクが一律に制限されることに比較して、一層自動変速部２０の変速中の変速ショックが抑制され得る為に、エンジントルクＴＥの変動に応じて入力クラッチのトルク容量の低下量を変更する。
【０１３４】
例えば、入力クラッチ制御手段８２は、エンジントルクＴＥの変動が大きい程入力クラッチ（第１クラッチＣ１）のトルク容量の低下量を大きくする。言い換えれば、入力クラッチ制御手段８２は、エンジントルクＴＥの変動が大きい程入力クラッチのスリップ率ΔＮを大きくする。このエンジントルクＴＥの変動は、エンジントルクＴＥが大きくなる程大きくなると考えられることから、例えば、入力クラッチ制御手段８２は、エンジントルクＴＥが大きい程入力クラッチのスリップ率ΔＮが大きくなるように予め実験的に定められた関係から実際のエンジントルクＴＥに基づいて入力クラッチのスリップ率ΔＮを設定する。上記実際のエンジントルクＴＥは、例えばスロットル弁開度θＴＨをパラメータとしてエンジン回転速度ＮＥとエンジントルク推定値との予め定められた関係から実際のスロットル弁開度θＴＨとエンジン回転速度ＮＥとに基づいて算出されたエンジントルク推定値が用いられたり、図示しないトルクセンサにより検出された実際のエンジントルクＴＥ等が用いられる。
【０１３５】
また、エンジン回転速度ＮＥが低回転である程変速中のエンジントルクＴＥの変動の影響により大きな変速ショックを感じると思われることから、入力クラッチ制御手段８２は、エンジン回転速度ＮＥが低回転である程入力クラッチのトルク容量の低下量を大きくするように、例えばエンジン回転速度ＮＥが低回転である程入力クラッチのスリップ率ΔＮが大きくなるように予め実験的に定められた関係から実際のエンジン回転速度ＮＥに基づいて入力クラッチのスリップ率ΔＮを設定する。
【０１３６】
また、エンジン８が前記可変気筒エンジンである場合には、気筒数の変更によりエンジントルクＴＥの周期的な振動（脈動）が変わり、運転気筒数が少ない程変速中のエンジントルクＴＥの変動の影響により大きな変速ショックを感じると思われることから、入力クラッチ制御手段８２は、運転気筒数が少ない程入力クラッチ（第１クラッチＣ１）のトルク容量の低下量を大きくするように、例えば運転気筒数が少ない程入力クラッチのスリップ率ΔＮが大きくなるように予め実験的に定められた関係から実際の運転気筒数に基づいて入力クラッチのスリップ率ΔＮを設定する。
【０１３７】
また、エンジン８の空燃比Ａ／Ｆが制御可能な場合には、変速中のリーン状態からリッチ状態への切換え時や変速中のリッチスパイク時にエンジントルクＴＥの一時的な増大により大きな変速ショックを感じると思われることから、入力クラッチ制御手段８２は、変速中のリーン状態からリッチ状態への切換え時や変速中のリッチスパイク時には、予め実験的に定められた変速ショックが抑制される為の入力クラッチ（第１クラッチＣ１）の所定のトルク容量の低下量すなわち入力クラッチの所定のスリップ率ΔＮ’を設定する。
【０１３８】
ところで、本実施例の変速機構１０（差動部１１、動力分配機構１６）は無段変速状態（差動状態）と非無段変速状態例えば有段変速状態（ロック状態）とに選択的に切換え可能であって、前記切換制御手段５０により車両状態に基づいて差動部１１の切り換えるべき変速状態が判断され、差動部１１が無段変速状態と有段変速状態とのいずれかに選択的に切り換えられる。
【０１３９】
例えば差動部１１が有段変速状態とされているときには、専ら機械的な動力伝達経路でエンジントルクＴＥが伝達部材１８に伝達されることからエンジントルクＴＥの変動に対して自動変速部２０への伝達トルクの変動が抑制され得ない。
【０１４０】
それに対して、例えば差動部１１が無段変速状態とされているときには、エンジントルクＴＥの変動に拘わらず自動変速部２０への伝達トルクの変動が抑制させられ得る。
【０１４１】
例えば、前記ハイブリッド制御手段５２は、差動部１１が無段変速状態とされているときには、差動部１１の電気的ＣＶＴ機能（差動作用）によって、気筒点火に伴うエンジントルク振動が伝達部材１８へ伝達されることが抑制されるように、すなわちそのエンジントルク振動に拘わらず伝達部材１８に伝達される伝達トルクの変動が抑制されるように、そのエンジントルク振動に同期して第１電動機回転速度ＮＭ１を変動させることが可能である。つまり、エンジントルク振動におけるトルク変化分に対する反力トルクを第１電動機Ｍ１が受け持たないことでそのエンジントルク振動を後段の動力伝達経路へ伝えないようにするものであり、トルク変化分に対する反力トルクを第１電動機Ｍ１が受け持たないように第１電動機回転速度ＮＭ１を変動させるのである。別の見方をすれば、トルク変化分に対する反力トルクを第１電動機Ｍ１が受け持たない結果としてエンジントルク振動に同期する第１電動機回転速度ＮＭ１の変動として現れるのである。
【０１４２】
また、例えば、ハイブリッド制御手段５２は、エンジントルクＴＥの変動が伝達部材１８へ伝達されることが抑制されるように、すなわちエンジントルク変動に拘わらず伝達部材１８に伝達される伝達トルクの変動が抑制されるように、第１電動機Ｍ１に分配されて電気的エネルギとして第２電動機Ｍ２へ伝達されるエンジントルクＴＥすなわち電気パスによって伝達されるトルクを制御することが可能である。この電気パスによって伝達されるトルクは、第１電動機Ｍ１に分配されたエンジントルクＴＥが電気エネルギーに変換されてインバータ５８を介して直接的に、或いはその電気エネルギーに相当する電気エネルギーが蓄電装置からインバータ５８を介して間接的に、前記第２電動機Ｍ２へ供給される電気的エネルギである。
【０１４３】
つまり、差動部１１においてはエンジントルクＴＥが機械的に伝達部材１８へ伝達されるトルクすなわち機械パストルクと、電気パスによって伝達部材１８へ伝達されるトルクすなわち電気パストルクとに分配される。そして、エンジントルクＴＥの変動は、エンジントルクＴＥと同様に機械パストルク分と電気パストルク分とに分配されて伝達部材１８側へ伝達される。そこで、電気パストルク分のエンジントルクＴＥの変動を抑制して、エンジントルクＴＥの変動が伝達部材１８へ伝達されることを抑制するのである。
【０１４４】
また、例えば、ハイブリッド制御手段５２は、電気パストルク分のエンジントルクＴＥの変動が抑制されるように例えば平滑化されるように、蓄電装置６０に電気的エネルギを蓄電して電気パストルク分を制限する。言い換えれば、ハイブリッド制御手段５２は、電気パストルク分のエンジントルクＴＥの変動が抑制されるように、電気パストルク分の上限を設定し、その上限を超えたことにより第２電動機Ｍ２に伝達されない電気エネルギを蓄電装置６０に蓄電する。
【０１４５】
また、例えば、ハイブリッド制御手段５２は、リッチスパイク等に伴う一時的なエンジントルク変動（増大）が発生するときに、電気パストルク分のエンジントルクＴＥの変動（増大）が抑制されるように蓄電装置６０に電気的エネルギを蓄電して電気パストルク分を制限する。見方を変えれば、ハイブリッド制御手段５２は、リッチスパイクに伴って第１電動機Ｍ１の発電負荷を増加させることにより第１電動機回転速度ＮＭ１の回転変化を抑制し、その第１電動機Ｍ１の発電エネルギを蓄電装置６０に蓄電することで、リッチスパイクに伴う伝達部材１８の回転変化を抑制する。
【０１４６】
また、例えば、ハイブリッド制御手段５２は、電気パストルク分のエンジントルクＴＥの変動を抑制して、エンジントルクＴＥの変動が伝達部材１８へ伝達されることを抑制することの加え、更に、機械パストルク分のエンジントルクＴＥの変動を相殺するように電気パストルクを制御してエンジントルクＴＥの変動が伝達部材１８へ伝達されることを一層抑制してもよい。
【０１４７】
例えば、リッチスパイクに伴う一時的なエンジントルクＴＥの変動（増大）が発生するときには、ハイブリッド制御手段５２は、電気パストルク分のエンジントルクＴＥの変動（増大）が抑制されるように電気パストルク分を制限することに加えて、更に、機械パストルク分のエンジントルクＴＥの変動（増大）を相殺するように蓄電装置６０に電気的エネルギを蓄電して電気パストルク分を制御（減少）してエンジントルクＴＥの変動（増大）が伝達部材１８へ伝達されることを一層抑制する。
【０１４８】
このように、差動部１１が無段変速状態とされているときには、有段変速状態とされているときと異なり、ハイブリッド制御手段５２によりエンジントルクＴＥの変動が伝達部材１８へ伝達されることが抑制され得る。
【０１４９】
そこで、入力クラッチ制御手段８２は、差動部１１の差動作用が制限されているか否かに基づいてすなわち電気的な無段変速機としての作動が制限されているか否かに基づいて、言い換えれば差動部１１が有段変速状態であるか否かに基づいて、入力クラッチ（第１クラッチＣ１）のトルク容量の低下量を変更する。例えば、入力クラッチ制御手段８２は、差動部１１の無段変速状態と有段変速状態とに応じた入力クラッチのトルク容量の低下量とされる為に、見方を換えれば差動部１１の無段変速状態と有段変速状態とでエンジントルクＴＥの変動による自動変速部２０の変速中の変速ショックが同程度とされる為に、入力クラッチのトルク容量の低下量を変更する。
【０１５０】
具体的には、ロック状態判定手段８４は、前記変速開始判定手段８０により自動変速部２０の変速が開始したと判定された場合には、動力分配機構１６が非差動状態（ロック状態）すなわち差動部１１が非無段変速状態（有段変速状態）とされているか否かを判定する。例えば、ロック状態判定手段８４は、切換制御手段５０により変速機構１０が有段変速状態に切換制御される有段制御領域内か或いは変速機構１０が無段変速状態に切換制御される無段制御領域内であるかの判定のための例えば図６に示す切換線図から車速Ｖおよび出力トルクＴＯＵＴで示される車両状態に基づいて変速機構１０を有段変速状態とする有段制御領域内であるか否かによって差動部１１が有段変速状態となっているか否かを判定する。
【０１５１】
入力クラッチ制御手段８２は、前記変速開始判定手段８０により自動変速部２０の変速が開始したと判定され、ロック状態判定手段８４により差動部１１が有段変速状態とされていると判定された場合には、差動部１１が無段変速状態とされているときと異なり、ハイブリッド制御手段５２によりエンジントルクＴＥの変動が伝達部材１８へ伝達されることが抑制され得ないので、差動部１１が無段変速状態とされているときに比較して入力クラッチ（第１クラッチＣ１）のトルク容量の低下量を大きくする。例えば、入力クラッチ制御手段８２は、差動部１１の有段変速状態時用のスリップ率ΔＮＹを設定する。
【０１５２】
また、入力クラッチ制御手段８２は、前記変速開始判定手段８０により自動変速部２０の変速が開始したと判定され、ロック状態判定手段８４により差動部１１が無段変速状態とされていると判定された場合には、ハイブリッド制御手段５２によりエンジントルクＴＥの変動が伝達部材１８へ伝達されることが抑制され得るので、差動部１１が有段変速状態とされているときに比較して入力クラッチ（第１クラッチＣ１）のトルク容量の低下量を小さくする。例えば、入力クラッチ制御手段８２は、差動部１１の有段変速状態時用のスリップ率ΔＮＹより小さく設定された差動部１１の無段変速状態時用のスリップ率ΔＮＭを設定する。
【０１５３】
ここで、前記ハイブリッド制御手段５２は、差動部１１が無段変速状態であるときの有段変速制御手段５４による自動変速部２０の変速時には、変速ショックが抑制されたり、燃費が向上される為に、その変速前後でトータル変速比γＴが連続的に変化するように、例えばエンジン回転速度ＮＥが略一定に維持されるように差動部１１の変速を実行した。このとき、トータル変速比γＴの目標値を自動変速部２０の変速前後で大きく変化させるような場合でも、トータル変速比γＴを連続的に変化させる為に、自動変速部２０の変速前後で一旦エンジン回転速度ＮＥが略一定に維持されるように差動部１１の変速が実行された後、トータル変速比γＴを目標のトータル変速比γＴに向かって連続的に変化するように更に差動部１１の変速が実行される。
【０１５４】
しかし、このような場合には、トータル変速比γＴを連続的に変化させるよりも段階的（非連続的）に変化させて、変速応答性を向上した方がユーザにとって気持ちが良いという考え方もある。
【０１５５】
例えば、前記図６の実線Ｂのａ←→ｂに示すように、車速Ｖの変化に伴って自動変速部２０が変速される場合には、自動変速部２０の変速前後のトータル変速比γＴの変化幅が小さいか略変化しないので、変速応答性を向上するよりも変速ショックを抑制したり燃費を向上する方が良い。ところが、前記図６の実線Ｃのｃ←→ｄに示すように、例えばアクセルペダルの急な踏み込み操作や急な戻し操作に基づく要求出力トルクＴＯＵＴの変化に伴って自動変速部２０が変速される場合には、自動変速部２０の変速前後のトータル変速比γＴの変化幅が実線Ｂに比較して大きくなるので、自動変速部２０の変速前後でトータル変速比γＴを連続的に変化して変速ショックを抑制したり燃費を向上するよりも、トータル変速比γＴを段階的（非連続的）に変化させて変速応答性を向上した方が良いという考え方もある。
【０１５６】
つまり、自動変速部２０の変速前後のトータル変速比γＴの変化幅が小さいか略変化しないような変化のときには、変速応答性が向上されるよりも変速ショックが抑制されたり燃費が向上されるように、自動変速部２０の変速前後でトータル変速比γＴを連続的に変化させればよい。また、自動変速部２０の変速前後のトータル変速比γＴの変化幅が大きいような変化のときには、変速応答性が向上されるように、自動変速部２０の変速前後でトータル変速比γＴを連続的に変化させないすなわちトータル変速比γＴを段階的に変化させればよい。別の見方をすれば、例えばアクセルペダルの踏み込み操作や戻し操作に基づいて、自動変速部２０の変速前後のトータル変速比γＴの変化幅が大きくなるような場合には、トータル変速比γＴが段階的に飛ぶような所謂飛び変速の方がユーザにとって気持ちがよいと思われるので、段階的に変化する自動変速部２０の変速比γを利用してトータル変速比γＴを飛ばせばよい。
【０１５７】
そこで、本実施例では、自動変速部２０の変速前後のトータル変速比γＴの変化幅が大きくなるような場合には、その変速前後でトータル変速比γＴを段階的に変化させるように差動部１１の変速を実行する。
【０１５８】
具体的には、変速比変化判定手段８６は、前記変速開始判定手段８０により自動変速部２０の変速が開始したと判定され、ロック状態判定手段８４により差動部１１が無段変速状態とされていると判定された場合には、トータル変速比γＴの変化を判定する。
【０１５９】
例えば、変速比変化判定手段８６は、有段変速制御手段５４による自動変速部２０の変速開始時にロック状態判定手段８４により差動部１１が無段変速状態とされていると判定された場合には、トータル変速比γＴの変化幅が大きいか否かに基づいて、例えば前記図６の実線Ｃのｃ←→ｄに示すようにアクセルペダルが大きく踏み込み操作されたり戻し操作されたりして、目標となるトータル変速比γＴの変化幅が所定量以上とされるか否かに基づいて、トータル変速比γＴの変化が非連続的な変化すなわちトータル変速比γＴが段階的に飛ぶような所謂飛び変速とされるか否かを判定する。上記所定量は、目標のトータル変速比γＴの変化が連続的ではなく段階的（すなわち非連続的）である方がユーザにとって良いと思われることを判断する為の予め実験的に求められて定められた判定値である。
【０１６０】
前記ハイブリッド制御手段５２は、前述の機能に加え、有段変速制御手段５４による自動変速部２０の変速開始時にロック状態判定手段８４により差動部１１が無段変速状態とされていると判定されたときに、上記変速比変化判定手段８６によりトータル変速比γＴの変化が段階的に飛ぶような所謂飛び変速とされると判定された場合には、自動変速部２０の変速に同期してその変速比γの変化に応じて差動部１１の変速比γ０を変化させてトータル変速比γＴを連続的に変化させるのではなく、自動変速部２０の変速とは同期することなく独立にすなわち単独で差動部１１の変速を実行してトータル変速比γＴを目標値に向かって変化させる。こうすることで、自動変速部２０の段階的な変速比変化を利用しつつその変化に差動部１１の変速比変化を加える（或いは減じる）ようにトータル変速比γＴを目標値に変化させられ得るので、自動変速部２０の変速前後ではトータル変速比γＴが段階的に変化させられて変速応答性が向上する。
【０１６１】
このように、前記ハイブリッド制御手段５２は、変速比変化判定手段８６により飛び変速でないと判定された場合には、変速前後でエンジン回転速度ＮＥが略一定に維持されてトータル変速比γＴが連続的に変化するように差動部１１の変速を実行し、また、変速比変化判定手段８６により飛び変速であると判定された場合には、トータル変速比γＴが段階的に変化するように自動変速部２０の変速とは独立に差動部１１の変速を実行する。
【０１６２】
そうすると、差動部１１が無段変速状態であるときの自動変速部２０の変速中に、エンジン回転速度ＮＥの変化が抑制されるトータル変速比γＴの連続的な変化と、エンジン回転速度ＮＥの変化を伴うトータル変速比γＴの非連続的な変化すなわち飛び変速とでは、変速中のエンジン回転速度ＮＥや差動部１１の回転部材の回転速度の変化幅が異なる。言い換えれば、変速中のエンジン回転速度ＮＥの変化が大きくなる飛び変速では、エンジン回転速度ＮＥの変化を抑制するトータル変速比γＴの連続的な変化と比較して、より大きなイナーシャトルクが発生する可能性がある。
【０１６３】
そこで、入力クラッチ制御手段８２は、有段変速制御手段５４による自動変速部２０の変速開始時に差動部１１が無段変速状態とされているときに、自動変速部２０の変速前後におけるトータル変速比γＴの変化が飛び変速であるか或いは連続的な変化であるかに基づいて、入力クラッチ（第１クラッチＣ１）のトルク容量の低下量を変更する。例えば、入力クラッチ制御手段８２は、差動部１１の無段変速状態のときに自動変速部２０の変速前後におけるトータル変速比γＴが段階的に飛ぶような変化と連続的な変化とに応じた入力クラッチのトルク容量の低下量とされる為に、見方を換えればイナーシャトルクの発生が異なる変速中のエンジン回転速度ＮＥの変化が大きくなる飛び変速とエンジン回転速度ＮＥの変化が抑制されるトータル変速比γＴの連続的な変化とでエンジントルクＴＥの変動による自動変速部２０の変速中の変速ショックが同程度とされる為に、入力クラッチのトルク容量の低下量を変更する。
【０１６４】
例えば、入力クラッチ制御手段８２は、前記変速開始判定手段８０により自動変速部２０の変速が開始したと判定され、ロック状態判定手段８４により差動部１１が無段変速状態とされていると判定され、且つ変速比変化判定手段８６によりトータル変速比γＴの変化が飛び変速であると判定された場合には、トータル変速比γＴの連続的な変化と比較してより大きなイナーシャトルクが発生する可能性があるので、入力クラッチ（第１クラッチＣ１）のトルク容量の低下量を大きくする。例えば、入力クラッチ制御手段８２は、差動部１１の有段変速状態時用のスリップ率ΔＮＹより小さく、且つ差動部１１の無段変速状態時用のスリップ率ΔＮＭより大きく設定された飛び変速時用のスリップ率ΔＮＭ２を設定する。
【０１６５】
また、例えば、入力クラッチ制御手段８２は、前記変速開始判定手段８０により自動変速部２０の変速が開始したと判定され、ロック状態判定手段８４により差動部１１が無段変速状態とされていると判定され、且つ変速比変化判定手段８６によりトータル変速比γＴの変化が飛び変速でないと判定された場合には、トータル変速比γＴの変化が飛び変速と比較して入力クラッチ（第１クラッチＣ１）のトルク容量の低下量を小さくする。例えば、入力クラッチ制御手段８２は、差動部１１の無段変速状態時用のスリップ率ΔＮＭを設定する。
【０１６６】
図１１は、電子制御装置４０の制御作動の要部すなわち自動変速部２０の変速時にエンジントルクＴＥの変動が自動変速部２０内へ伝達されることを抑制する制御作動を説明するフローチャートであり、例えば数ｍｓｅｃ乃至数十ｍｓｅｃ程度の極めて短いサイクルタイムで繰り返し実行されるものである。
【０１６７】
また、図１２は、図１１のフローチャートに示す制御作動を説明するタイムチャートであり、差動部１１の有段変速状態（ロック状態）において自動変速部２０の２速→３速アップシフトが実行された場合での制御作動を示している。
【０１６８】
また、図１３は、図１１のフローチャートに示す制御作動を説明するタイムチャートであり、差動部１１の無段変速状態において自動変速部２０の４速→２速ダウンシフトが飛び変速となるように実行された場合での制御作動を示している。
【０１６９】
また、図１４は、図１１のフローチャートに示す制御作動を説明するタイムチャートであり、差動部１１の無段変速状態において自動変速部２０の２速→３速アップシフトが実行された場合での制御作動を示している。
【０１７０】
先ず、前記変速開始判定手段８０に対応するステップ（以下、ステップを省略する）Ｓ１において、前記有段変速制御手段５４による自動変速部２０の変速が開始されたか否かが判断される。
【０１７１】
図１２のｔ１時点および図１４のｔ１時点は、自動変速部２０の２速→３速アップシフトが判断され、３速への変速指令が出力されたことを示している。また、図１３のｔ１時点は、自動変速部２０の４速→２速ダウンシフトが判断され、２速への変速指令が出力されたことを示している。
【０１７２】
前記Ｓ１の判断が肯定される場合は前記ロック状態判定手段８４に対応するＳ２において、動力分配機構１６が非差動状態（ロック状態）すなわち差動部１１が非無段変速状態（有段変速状態）とされているか否かが、例えば図６に示す切換線図から車両状態に基づいて変速機構１０を有段変速状態とする有段制御領域内であるか否かによって差動部１１が有段変速状態となっているか否かが判定される。
【０１７３】
図１２のｔ１時点は、差動部（無段部）１１の有段変速状態（ロック状態）が判定されたことを示している。
【０１７４】
図１３のｔ１時点および図１４のｔ１時点は、差動部（無段部）１１の無段変速状態（差動状態）が判定されたことを示している。
【０１７５】
前記Ｓ２の判断が肯定される場合は前記入力クラッチ制御手段８２に対応するＳ３において、入力クラッチ（第１クラッチＣ１）のトルク容量が一時的に低下される。例えば、係合されている入力クラッチの係合圧を予め実験的に求めて定められたエンジントルクＴＥの変動の影響を抑制する為の所定期間だけ一時的に低下させる指令が、言い換えれば有段変速状態時用のスリップ率ΔＮＹが設定されて所定期間だけ一時的に入力クラッチのスリップ率ΔＮを上げる指令が、油圧制御回路４２へ出力される。
【０１７６】
図１２のｔ１時点乃至ｔ４時点は、第１クラッチＣ１の油圧が設定されたスリップ率ΔＮＹとなるように一時的に低下されたことを示している。
【０１７７】
前記Ｓ２の判断が否定される場合は前記変速比変化判定手段８６に対応するＳ５において、トータル変速比γＴの変化幅が大きいか否かに基づいてトータル変速比γＴの変化が非連続的な変化すなわちトータル変速比γＴが段階的に飛ぶような所謂飛び変速とされるか否かが判定される。
【０１７８】
上記Ｓ５の判断が肯定される場合は前記入力クラッチ制御手段８２に対応するＳ６において、入力クラッチ（第１クラッチＣ１）のトルク容量が一時的に低下される。例えば、係合されている入力クラッチの係合圧を予め実験的に求めて定められたエンジントルクＴＥの変動の影響を抑制する為の所定期間だけ一時的に低下させる指令が、言い換えれば飛び変速時用のスリップ率ΔＮＭ２が設定されて所定期間だけ一時的に入力クラッチのスリップ率ΔＮを上げる指令が、油圧制御回路４２へ出力される。
【０１７９】
図１３のｔ１時点乃至ｔ４時点は、第１クラッチＣ１の油圧が設定されたスリップ率ΔＮＭ２となるように一時的に低下されたことを示している。
【０１８０】
前記Ｓ５の判断が否定される場合は前記ハイブリッド制御手段５２に対応するＳ７において、変速ショックが抑制されたり、燃費が向上される為に、その変速前後でトータル変速比γＴが連続的に変化するように、例えばエンジン回転速度ＮＥが略一定に維持されるように差動部１１の変速が実行される。
【０１８１】
次いで、前記入力クラッチ制御手段８２に対応するＳ８において、入力クラッチ（第１クラッチＣ１）のトルク容量が一時的に低下される。例えば、係合されている入力クラッチの係合圧を予め実験的に求めて定められたエンジントルクＴＥの変動の影響を抑制する為の所定期間だけ一時的に低下させる指令が、言い換えれば無段変速状態時用のスリップ率ΔＮＭが設定されて所定期間だけ一時的に入力クラッチのスリップ率ΔＮを上げる指令が、油圧制御回路４２へ出力される。
【０１８２】
図１４のｔ１時点乃至ｔ４時点は、第１クラッチＣ１の油圧が設定されたスリップ率ΔＮＭとなるように一時的に低下されたことを示している。
【０１８３】
前記Ｓ３、前記Ｓ６、或いは前記Ｓ８に次いで前記有段変速制御手段５４に対応するＳ４において、前記Ｓ１にて出力された変速指令に従って自動変速部２０の変速が実行される。
【０１８４】
図１２のｔ１時点乃至ｔ３時点或いは図１４のｔ１時点乃至ｔ３時点は、ｔ１時点にて解放側係合装置となる第２ブレーキＢ２の解放油圧ＰＢ２の低下が開始され、ｔ１時点乃至ｔ３時点にて係合側係合装置となる第１ブレーキＢ１の係合油圧ＰＢ１が上昇され、ｔ３時点にてその第１ブレーキＢ１が係合完了されて自動変速部２０の一連の変速が実行されたことを示している。また、このｔ１時点乃至ｔ３時点における解放側係合装置の過渡油圧と係合側係合装置の過渡油圧とは、変速中に伝達部材回転速度Ｎ１８が所定の変化状態となるように予め一律に設定されている。
【０１８５】
また、この図１２の実施例は、差動部１１が切換クラッチＣ０の係合によるロック状態でのアップシフトとなるため、変速機構１０全体として有段変速機として機能させられる。よって、車速Ｖ一定であれば、ｔ２時点乃至ｔ３時点に示すようにアップシフトに伴って自動変速部２０の入力回転速度ＮＩＮ（伝達部材回転速度Ｎ１８）が低下させられると共に、エンジン回転速度ＮＥも低下させられる。
【０１８６】
また、図１４のｔ２時点乃至ｔ３時点は、自動変速部２０の変速前後で変速機構１０のトータル変速比γＴが変化しないように、すなわち自動変速部２０の変速前後でエンジン回転速度ＮＥが略一定に維持されるように、自動変速部２０の変速過程におけるイナーシャ相中に、差動部１１の差動作用により第１電動機回転速度ＮＭ１を制御して、自動変速部２０の変速比の変化に相当する変化分だけその変化方向とは反対方向に差動部１１の変速比が変化させられたことを示している。
【０１８７】
図１３のｔ１時点乃至ｔ３時点は、ｔ１時点にて解放側係合装置となる第２クラッチＣ２の解放油圧ＰＣ２の低下が開始され、ｔ１時点乃至ｔ３時点にて係合側係合装置となる第２ブレーキＢ２の係合油圧ＰＢ２が上昇され、ｔ３時点にてその第２ブレーキＢ２が係合完了されて自動変速部２０の一連の変速が実行されたことを示している。また、このｔ１時点乃至ｔ３時点における解放側係合装置の過渡油圧と係合側係合装置の過渡油圧とは、変速中に伝達部材回転速度Ｎ１８が所定の変化状態となるように予め一律に設定されている。
【０１８８】
また、この図１３の実施例では、ｔ２時点以降にて第１電動機回転速度ＮＭ１が上昇させられ、差動部１１の変速比γ０が大きくされてエンジン回転速度ＮＥが引き上げられている。そして、自動変速部２０のダウンシフトに伴って自動変速部２０の入力回転速度ＮＩＮ（伝達部材回転速度Ｎ１８）が上昇させられる。そして、トータル変速比γＴが目標のトータル変速比γＴに向かって差動部１１で最終的に調整されるように、差動部１１の差動作用により少なくとも第１電動機Ｍ１を用いて差動部１１の変速が実行される。このように、この実施例は飛び変速の為、非連続的に（段階的に）トータル変速比γＴが変化されるように、自動変速部２０の変速に同期させることなく自動変速部２０の変速に伴う段階的な変速比変化を利用しつつ目標のトータル変速比γＴに向かって、すなわち変速後のエンジン回転速度ＮＥに向かって、差動部１１の変速が実行されて変速応答性が向上される。
【０１８９】
また、図１２乃至図１４に示すように、ｔ１時点乃至ｔ４時点における所定期間だけ一時的に入力クラッチ（第１クラッチＣ１）のスリップ率ΔＮを上げるときのそのスリップ率ΔＮの設定は、有段変速状態時用のスリップ率ΔＮＹが最も大きく、無段変速状態時用のスリップ率ΔＮＭが最も小さく設定されていることがわかる。また、例えば、これら有段変速状態時用のスリップ率ΔＮＹ、飛び変速時用のスリップ率ΔＮＭ２、無段変速状態時用のスリップ率ΔＮＭは、差動部１１の有段変速状態のときと、差動部１１の無段変速状態での飛び変速のときと、差動部１１の無段変速状態での連続的な変速のときとで、エンジントルクＴＥの変動による自動変速部２０の変速中の変速ショックが同程度とされるように設定されている。
【０１９０】
前記Ｓ１の判断が否定される場合はＳ９において、自動変速部２０の変速が実行されない場合の制御装置４０の各種制御手段による制御作動が実行されるか或いは本ルーチンが終了させられる。
【０１９１】
上述のように、本実施例によれば、差動部１１の電気的な差動装置としての作動を制限する差動制限装置としての切換クラッチＣ０或いは切換ブレーキＢ０により、例えば差動部１１が無段変速状態と非無段変速状態とに切り換えられることから、電気的に変速比が変更させられる変速機の燃費改善効果と機械的に動力を伝達する歯車式伝動装置の高い伝達効率との両長所を兼ね備えた駆動装置が得られる。
【０１９２】
例えば、車両の低中速走行および低中出力走行となるようなエンジンの常用出力域において差動部１１が無段変速状態とされると、車両の燃費性能が確保される。また、高速走行において差動部１１が非無段変速状態とされると、専ら機械的な動力伝達経路でエンジン８の出力が駆動輪へ伝達されて、電気的に変速比が変更させられる変速機として作動させる場合に発生する動力と電気エネルギとの間の変換損失が抑制されるので、燃費が向上させられる。また例えば、高出力走行において差動部１１が非無段変速状態とされると、電気的に変速比が変更させられる変速機として作動させる領域が車両の低中速走行および低中出力走行となって、第１電動機Ｍ１が発生すべき電気的エネルギ換言すれば第１電動機Ｍ１が伝える電気的エネルギの最大値を小さくできるので、第１電動機Ｍ１やその電気的エネルギが伝達される第２電動機Ｍ２、或いはそれを含む変速機構１０が一層小型化される。
【０１９３】
また、本実施例によれば、自動変速部２０の変速中には、自動変速部２０への伝達トルクを所定値以下に制限する為に、入力クラッチ制御手段８２により入力クラッチ（第１クラッチＣ１）のトルク容量が低下させられるので、その入力クラッチが伝えられ得るトルクを超えてエンジントルクＴＥが変化しても、この超えた分のエンジントルクＴＥは自動変速部２０内へ伝達されず、エンジントルクＴＥの変動による自動変速部２０の変速への影響が低減される。見方を換えれば、自動変速部２０の変速中に入力クラッチがエンジントルクＴＥの変動のリミッタとして作動させられて、エンジントルクＴＥの変動による自動変速部２０の変速への影響が低減される。よって、自動変速部２０の変速中の変速ショックが抑制される。
【０１９４】
また、本実施例によれば、入力クラッチ制御手段８２は、差動部１１が有段変速状態とされているか否かに基づいて、入力クラッチ（第１クラッチＣ１）のトルク容量の低下量を変更するので、エンジントルクＴＥの変動に拘わらず伝達部材１８に伝達される伝達トルクの変動が抑制させられ得る差動部１１の無段変速状態と、専ら機械的な動力伝達経路でエンジントルクＴＥが伝達部材１８へ伝達されることから伝達部材１８に伝達される伝達トルクの変動が抑制させられ得ない無段変速部の有段変速状態とに応じた入力クラッチのトルク容量の低下量とされ得る。
【０１９５】
また、本実施例によれば、入力クラッチ制御手段８２は、差動部１１が無段変速状態とされているときに総合変速比γＴが自動変速部２０の変速前後で連続的に変化させられるか或いは非連続的に変化させられるかに基づいて、入力クラッチ（第１クラッチＣ１）のトルク容量の低下量を変更するので、自動変速部２０の変速前後におけるエンジン回転速度ＮＥの変化が抑制され得る総合変速比γＴの連続的な変化と、エンジン回転速度ＮＥが変化させられる総合変速比γＴの非連続的（段階的）な変化とで異なるイナーシャートルクに応じた入力クラッチのトルク容量の低下量とされ得る。
【０１９６】
また、本実施例によれば、入力クラッチ制御手段８２は、エンジントルクＴＥの変動に応じて入力クラッチ（第１クラッチＣ１）のトルク容量の低下量を変更するので、入力クラッチが伝えられ得るトルクが一律に制限されることに比較して、一層自動変速部２０の変速中の変速ショックが抑制され得る。
【０１９７】
また、本実施例によれば、入力クラッチ（第１クラッチＣ１）は、自動変速部２０の変速に関与する解放側係合装置や係合側係合装置ではないので、自動変速部２０の変速が解放側係合装置の解放と係合側係合装置の係合とにより適切に実行されると共に、入力クラッチ制御手段８２によりエンジントルクＴＥの変動による自動変速部２０の変速への影響が適切に低減される。
【０１９８】
次に、本発明の他の実施例を説明する。なお、以下の説明において実施例相互に共通する部分には同一の符号を付して説明を省略する。
【実施例２】
【０１９９】
図１５は本発明の他の実施例における変速機構７０の構成を説明する骨子図、図１６はその変速機構７０の変速段と油圧式摩擦係合装置の係合の組み合わせとの関係を示す係合表、図１７はその変速機構７０の変速作動を説明する共線図である。
【０２００】
変速機構７０は、前述の実施例と同様に第１電動機Ｍ１、動力分配機構１６、および第２電動機Ｍ２を備えている差動部１１と、その差動部１１と出力軸２２との間で伝達部材１８を介して直列に連結されている前進３段の自動変速部７２とを備えている。動力分配機構１６は、例えば「０．４１８」程度の所定のギヤ比ρ１を有するシングルピニオン型の第１遊星歯車装置２４と切換クラッチＣ０および切換ブレーキＢ０とを有している。自動変速部７２は、例えば「０．５３２」程度の所定のギヤ比ρ２を有するシングルピニオン型の第２遊星歯車装置２６と例えば「０．４１８」程度の所定のギヤ比ρ３を有するシングルピニオン型の第３遊星歯車装置２８とを備えている。第２遊星歯車装置２６の第２サンギヤＳ２と第３遊星歯車装置２８の第３サンギヤＳ３とが一体的に連結されて第２クラッチＣ２を介して伝達部材１８に選択的に連結されるとともに第１ブレーキＢ１を介してケース１２に選択的に連結され、第２遊星歯車装置２６の第２キャリヤＣＡ２と第３遊星歯車装置２８の第３リングギヤＲ３とが一体的に連結されて出力軸２２に連結され、第２リングギヤＲ２は第１クラッチＣ１を介して伝達部材１８に選択的に連結され、第３キャリヤＣＡ３は第２ブレーキＢ２を介してケース１２に選択的に連結されている。
【０２０１】
以上のように構成された変速機構７０では、例えば、図１６の係合作動表に示されるように、前記切換クラッチＣ０、第１クラッチＣ１、第２クラッチＣ２、切換ブレーキＢ０、第１ブレーキＢ１、および第２ブレーキＢ２が選択的に係合作動させられることにより、第１速ギヤ段（第１変速段）乃至第４速ギヤ段（第４変速段）のいずれか或いは後進ギヤ段（後進変速段）或いはニュートラルが選択的に成立させられ、略等比的に変化する変速比γ（＝入力軸回転速度ＮＩＮ／出力軸回転速度ＮＯＵＴ）が各ギヤ段毎に得られるようになっている。特に、本実施例では動力分配機構１６に切換クラッチＣ０および切換ブレーキＢ０が備えられており、切換クラッチＣ０および切換ブレーキＢ０の何れかが係合作動させられることによって、差動部１１は前述した無段変速機として作動する無段変速状態に加え、変速比が一定の変速機として作動する定変速状態を構成することが可能とされている。したがって、変速機構７０では、切換クラッチＣ０および切換ブレーキＢ０の何れかを係合作動させることで定変速状態とされた差動部１１と自動変速部７２とで有段変速機として作動する有段変速状態が構成され、切換クラッチＣ０および切換ブレーキＢ０の何れも係合作動させないことで無段変速状態とされた差動部１１と自動変速部７２とで電気的な無段変速機として作動する無段変速状態が構成される。言い換えれば、変速機構７０は、切換クラッチＣ０および切換ブレーキＢ０の何れかを係合作動させることで有段変速状態に切り換えられ、切換クラッチＣ０および切換ブレーキＢ０の何れも係合作動させないことで無段変速状態に切り換えられる。
【０２０２】
例えば、変速機構７０が有段変速機として機能する場合には、図１６に示すように、切換クラッチＣ０、第１クラッチＣ１および第２ブレーキＢ２の係合により、変速比γ１が最大値例えば「２．８０４」程度である第１速ギヤ段が成立させられ、切換クラッチＣ０、第１クラッチＣ１および第１ブレーキＢ１の係合により、変速比γ２が第１速ギヤ段よりも小さい値例えば「１．５３１」程度である第２速ギヤ段が成立させられ、切換クラッチＣ０、第１クラッチＣ１および第２クラッチＣ２の係合により、変速比γ３が第２速ギヤ段よりも小さい値例えば「１．０００」程度である第３速ギヤ段が成立させられ、第１クラッチＣ１、第２クラッチＣ２、および切換ブレーキＢ０の係合により、変速比γ４が第３速ギヤ段よりも小さい値例えば「０．７０５」程度である第４速ギヤ段が成立させられる。また、第２クラッチＣ２および第２ブレーキＢ２の係合により、変速比γＲが第１速ギヤ段と第２速ギヤ段との間の値例えば「２．３９３」程度である後進ギヤ段が成立させられる。なお、ニュートラル「Ｎ」状態とする場合には、例えばすべてのクラッチＣおよびブレーキＢが解放される。
【０２０３】
しかし、変速機構７０が無段変速機として機能する場合には、図１６に示される係合表の切換クラッチＣ０および切換ブレーキＢ０が共に解放される。これにより、差動部１１が無段変速機として機能し、それに直列の自動変速部７２が有段変速機として機能することにより、自動変速部７２の第１速、第２速、第３速の各ギヤ段に対しその自動変速部７２の入力回転速度ＮＩＮすなわち伝達部材回転速度Ｎ１８が無段的に変化させられて各ギヤ段は無段的な変速比幅が得られる。したがって、その各ギヤ段の間が無段的に連続変化可能な変速比となって変速機構７０全体としてのトータル変速比γＴが無段階に得られるようになる。
【０２０４】
図１７は、無段変速部或いは第１変速部として機能する差動部１１と有段変速部或いは第２変速部として機能する自動変速部７２とから構成される変速機構７０において、ギヤ段毎に連結状態が異なる各回転要素の回転速度の相対関係を直線上で表すことができる共線図を示している。切換クラッチＣ０および切換ブレーキＢ０が解放される場合、および切換クラッチＣ０または切換ブレーキＢ０が係合させられる場合の動力分配機構１６の各要素の回転速度は前述の場合と同様である。
【０２０５】
図１７における自動変速機７２の４本の縦線Ｙ４、Ｙ５、Ｙ６、Ｙ７は、左から順に、第４回転要素（第４要素）ＲＥ４に対応し且つ相互に連結された第２サンギヤＳ２および第３サンギヤＳ３を、第５回転要素（第５要素）ＲＥ５に対応する第３キャリヤＣＡ３を、第６回転要素（第６要素）ＲＥ６に対応し且つ相互に連結された第２キャリヤＣＡ２および第３リングギヤＲ３を、第７回転要素（第７要素）ＲＥ７に対応する第２リングギヤＲ２をそれぞれ表している。また、自動変速機７２において第４回転要素ＲＥ４は第２クラッチＣ２を介して伝達部材１８に選択的に連結されるとともに第１ブレーキＢ１を介してケース１２に選択的に連結され、第５回転要素ＲＥ５は第２ブレーキＢ２を介してケース１２に選択的に連結され、第６回転要素ＲＥ６は自動変速機７２の出力軸２２に連結され、第７回転要素ＲＥ７は第１クラッチＣ１を介して伝達部材１８に選択的に連結されている。
【０２０６】
自動変速部７２では、図１７に示すように、第１クラッチＣ１と第２ブレーキＢ２とが係合させられることにより、第７回転要素ＲＥ７（Ｒ２）の回転速度を示す縦線Ｙ７と横線Ｘ２との交点と第５回転要素ＲＥ５（ＣＡ３）の回転速度を示す縦線Ｙ５と横線Ｘ１との交点とを通る斜めの直線Ｌ１と、出力軸２２と連結された第６回転要素ＲＥ６（ＣＡ２，Ｒ３）の回転速度を示す縦線Ｙ６との交点で第１速の出力軸２２の回転速度が示される。同様に、第１クラッチＣ１と第１ブレーキＢ１とが係合させられることにより決まる斜めの直線Ｌ２と出力軸２２と連結された第６回転要素ＲＥ６の回転速度を示す縦線Ｙ６との交点で第２速の出力軸２２の回転速度が示され、第１クラッチＣ１と第２クラッチＣ２とが係合させられることにより決まる水平な直線Ｌ３と出力軸２２と連結された第６回転要素ＲＥ６の回転速度を示す縦線Ｙ６との交点で第３速の出力軸２２の回転速度が示される。上記第１速乃至第３速では、切換クラッチＣ０が係合させられている結果、エンジン回転速度ＮＥと同じ回転速度で第７回転要素ＲＥ７に差動部１１からの動力が入力される。しかし、切換クラッチＣ０に替えて切換ブレーキＢ０が係合させられると、差動部１１からの動力がエンジン回転速度ＮＥよりも高い回転速度で入力されることから、第１クラッチＣ１、第２クラッチＣ２、および切換ブレーキＢ０が係合させられることにより決まる水平な直線Ｌ４と出力軸２２と連結された第６回転要素ＲＥ６の回転速度を示す縦線Ｙ６との交点で第４速の出力軸２２の回転速度が示される。
【０２０７】
本実施例の変速機構７０においても、無段変速部或いは第１変速部として機能する差動部１１と、有段変速部或いは第２変速部として機能する自動変速部７２とから構成されるので、前述の実施例と同様の効果が得られる。
【実施例３】
【０２０８】
図１８は、手動操作により動力分配機構１６の差動状態（非ロック状態）と非差動状態（ロック状態）すなわち変速機構１０の無段変速状態と有段変速状態との切換えを選択するための変速状態手動選択装置としてのシーソー型スイッチ４４（以下、スイッチ４４と表す）の一例でありユーザにより手動操作可能に車両に備えられている。このスイッチ４４は、ユーザが所望する変速状態での車両走行を選択可能とするものであり、無段変速走行に対応するスイッチ４４の無段と表示された無段変速走行指令釦或いは有段変速走行に対応する有段と表示された有段変速走行指令釦がユーザにより押されることで、それぞれ無段変速走行すなわち変速機構１０を電気的な無段変速機として作動可能な無段変速状態とするか、或いは有段変速走行すなわち変速機構１０を有段変速機として作動可能な有段変速状態とするかが選択可能とされる。
【０２０９】
前述の実施例では、例えば図６の関係図から車両状態の変化に基づく変速機構１０の変速状態の自動切換制御作動を説明したが、その自動切換制御作動に替えて或いは加えて例えばスイッチ４４が手動操作されたことにより変速機構１０の変速状態が手動切換制御される。つまり、切換制御手段５０は、スイッチ４４の無段変速状態とするか或いは有段変速状態とするかの選択操作に従って優先的に変速機構１０を無段変速状態と有段変速状態とに切り換える。例えば、ユーザは無段変速機のフィーリングや燃費改善効果が得られる走行を所望すれば変速機構１０が無段変速状態とされるように手動操作により選択する。またユーザは有段変速機の変速に伴うリズミカルなエンジン回転速度の変化によるフィーリング向上を所望すれば変速機構１０が有段変速状態とされるように手動操作により選択する。
【０２１０】
また、スイッチ４４に無段変速走行或いは有段変速走行の何れも選択されない状態である中立位置が設けられる場合には、スイッチ４４がその中立位置の状態であるときすなわちユーザによって所望する変速状態が選択されていないときや所望する変速状態が自動切換のときには、変速機構１０の変速状態の自動切換制御作動が実行されればよい。
【０２１１】
例えば、自動切換制御作動に替えてスイッチ４４が手動操作されたことにより変速機構１０の変速状態が手動切換制御される場合には、前述の実施例の図１１に示すフローチャートのステップＳ２において、スイッチ４４が手動操作によって動力分配機構１６の非差動状態すなわち変速機構１０の有段変速状態が選択されていることに基づいて動力分配機構１６が非差動状態すなわち差動部１１が有段変速状態とされているか否かが判定される。
【０２１２】
以上、本発明の実施例を図面に基づいて詳細に説明したが、本発明はその他の態様においても適用される。
【０２１３】
例えば、前述の実施例では、変速機構１０は差動部１１と自動変速部２０とを備えていたが、差動部１１は必ずしも備えられなくとも本発明は適用され得る。この場合には、例えば差動部１１が有段変速状態であるか否かを判定するロック状態判定手段８４や無段変速状態において飛び変速とされるか否かを判定する変速比変化判定手段８６等は備えられる必要なく、入力クラッチ制御手段８２は有段変速状態であるか否かに基づいて、或いは飛び変速であるか否かに基づいて入力クラッチのスリップ率ΔＮを変更する必要もない。
【０２１４】
また、前述の実施例の変速機構１０、７０は、動力分配機構１６が差動状態と非差動状態とに切り換えられることで電気的な無段変速機として機能する無段変速状態と有段変速機として機能する有段変速状態とに切換可能に構成されたが、変速機構１０、７０が有段変速状態に切換可能に構成されない変速機構すなわち無段変速部１１が切換クラッチＣ０および切換ブレーキＢ０を備えず電気的な無段変速機（電気的な差動装置）としての機能のみを有する差動部（無段変速部）１１であっても本実施例は適用され得る。この場合には、例えばロック状態判定手段８４や切換制御手段５０や増速側ギヤ段判定手段６２は備えられる必要はなく、入力クラッチ制御手段８２は有段変速状態であるか否かに基づいて入力クラッチのスリップ率ΔＮを変更する必要もない。
【０２１５】
また、前述の実施例では、入力クラッチ制御手段８２は有段変速状態であるか否かに基づいて、或いは飛び変速であるか否かに基づいて入力クラッチのスリップ率ΔＮを変更したが、有段変速状態であるか否かに拘わらず、或いは飛び変速であるか否かに拘わらず入力クラッチのスリップ率ΔＮを一律に設定しても良い。このようにしても一定の効果は得られる。また、無段変速状態のときには、特に飛び変速でないときには、ハイブリッド制御手段５２によりエンジントルクＴＥの変動が伝達部材１８へ伝達されることが抑制され得るので、一時的に入力クラッチの係合率を低下する制御作動を実行しなくとも良い。すなわち、有段変速状態のときのみスリップ率ΔＮを一律に設定して一時的に入力クラッチの係合率を低下しても良い。このようにしても一定の効果は得られる。
【０２１６】
また、前述の実施例では、入力クラッチ制御手段８２は、エンジントルクＴＥの変動やエンジン８の運転気筒数等に応じて入力クラッチのトルク容量の低下量或いはスリップ率ΔＮを変更（設定）したが、これらに限らず種々異なる条件に応じて入力クラッチのトルク容量の低下量或いはスリップ率ΔＮを変更（設定）しても良い。例えば、自動変速部２０、７２の変速の種類例えば１→２変速、２→３変速等により各変速に用いられる係合装置（クラッチＣ、ブレーキＢ）が相違し、それらのトルク容量もトルク分担率も相違すると思われることから、或いはまた自動変速部２０、７２の変速の種類により油圧制御弁が相違しすなわち制御ゲイン等も相違すると思われることから、入力クラッチ制御手段８２は、自動変速部２０、７２の変速の種類に基づいて予め実験的に定められた変速ショックが抑制される為の入力クラッチの所定のトルク容量の低下量すなわち入力クラッチの所定のスリップ率ΔＮ’を設定しても良い。
【０２１７】
また、前述の実施例では図１４のタイムチャートに示すように自動変速部２０の変速前後でエンジン回転速度ＮＥが略一定に維持されるようにすなわち変速機構１０のトータル変速比が変化しないように差動部１１の変速制御が実行されたが、必ずしもエンジン回転速度ＮＥが略一定に維持されるようにする必要はなく、エンジン回転速度ＮＥの変化が抑制されて連続的にトータル変速比γＴが変化させられればよい。このようにしても一応の効果は得られる。
【０２１８】
また、前述の実施例ではロック状態判定手段８４（図１１のステップＳ２）は、動力分配機構１６が非差動状態（ロック状態）とされているか否かを例えば図６に示す切換線図から車両状態に基づいて有段制御領域内であるか否かによって判定したが、切換制御手段５０による変速機構１０が有段制御領域内か或いは無段制御領域内であるかの判定に基づいて動力分配機構１６がロック状態とされているか否かを判定してもよい。
【０２１９】
また、前述の実施例では変速比変化判定手段８６（図１１のステップＳ５）は、目標となるトータル変速比γＴの変化幅が所定量以上とされることにより飛び変速を判定したが、目標となるトータル変速比γＴの変化率が所定変化率以上とされることにより飛び変速を判定してもよい。上記所定変化率は、目標のトータル変速比γＴの変化が連続的ではなく段階的（すなわち非連続的）であることを判定するために、予め実験的に求められて定められた判定値である。
【０２２０】
また、前述の実施例の切換制御手段５０は、差動部１１の電気的な無段変速機（差動装置）としての作動を制限する場合には、切換クラッチＣ０或いは切換ブレーキＢ０を完全係合して差動部１１が差動作用をしない非差動状態（ロック状態）へ切り換えたが、切換クラッチＣ０或いは切換ブレーキＢ０のトルク容量を変化させることにより、例えば半係合状態とすることにより差動部１１の電気的な差動装置としての作動を制限してもよい。具体的には、切換制御手段５０は、切換クラッチＣ０或いは切換ブレーキＢ０を半係合状態とすることにより、差動部１１の電気的な無段変速機（差動装置）としての作動を許容しつつ、第１電動機Ｍ１が発生するトルクと切換クラッチＣ０或いは切換ブレーキＢ０の半係合トルクとで差動部１１へ入力されるエンジントルクＴＥに対する反力トルクを発生させてもよい。
【０２２１】
これによって、例えば、第１電動機Ｍ１のトルク容量により受け持つことが可能な所定値ＴＥ１を超えるエンジントルクＴＥを差動部１１に入力可能となって、第１電動機Ｍ１の最大トルク容量を大きくすることなく、すなわち第１電動機Ｍ１を大型化することなく、差動部１１からの出力が増大させられ得る。
【０２２２】
或いはまた、切換クラッチＣ０および切換ブレーキＢ０が解放される場合と異なり、第１電動機Ｍ１は差動部１１へ入力される全てのエンジントルクＴＥに対する反力トルクを受け持つ必要がなくなるので、差動部１１に入力される同じ大きさのエンジントルクＴＥにおいて、第１電動機Ｍ１が受け持つべきエンジントルクＴＥの比率が小さくされ得る。よって、第１電動機Ｍ１が小型化され得たり、或いはまた第１電動機Ｍ１の耐久性が向上したり、或いはまた、第１電動機Ｍ１から第２電動機Ｍ２への電気エネルギが小さくされて第２電動機Ｍ２の耐久性も向上する。
【０２２３】
或いはまた、切換制御手段５０は、差動部１１を無段変速状態とする無段制御領域か、或いは差動部１１を非無段変速状態とする有段制御領域かに拘わらず、切換クラッチＣ０或いは切換ブレーキＢ０を半係合状態としてもよい。
【０２２４】
また、前述の実施例の変速機構１０、７０は、差動部１１（動力分配機構１６）が電気的な無段変速機として作動可能な差動状態とそれを非作動とする非差動状態（ロック状態）とに切り換えられることで無段変速状態と有段変速状態とに切り換え可能に構成され、この無段変速状態と有段変速状態との切換えは差動部１１が差動状態と非差動状態とに切換えられることによって行われていたが、例えば差動部１１が差動状態のままであっても差動部１１の変速比を連続的ではなく段階的に変化させることにより有段変速機として機能させられ得る。言い換えれば、差動部１１の差動状態／非差動状態と、変速機構１０、７０の無段変速状態／有段変速状態とは必ずしも一対一の関係にある訳ではないので、差動部１１は必ずしも無段変速状態と有段変速状態とに切換可能に構成される必要はなく、変速機構１０、７０（差動部１１、動力分配機構１６）が差動状態と非差動状態とに切換え可能に構成されれば本発明は適用され得る。有段変速状態とは、電気パスを用いないで専ら機械的伝達経路で動力伝達することである。
【０２２５】
また、前述の実施例では、エンジン８から自動変速部２０、７０内への動力伝達経路を動力伝達可能状態と動力伝達遮断状態とに選択的に切り換える入力クラッチとして、自動変速部２０、７２の一部を構成する第１クラッチＣ１或いは第２クラッチＣ２が用いられたが、必ずしも第１クラッチＣ１或いは第２クラッチＣ２である必要はなく動力伝達可能状態と動力伝達遮断状態とにその動力伝達経路を選択的に切り換えられ得る係合装置が少なくとも１つ備えられておればよい。例えばその係合装置は、自動変速部２０、７２の一部を構成する必要もなく、差動部１１と第１クラッチＣ１および第２クラッチＣ２との間の動力伝達経路に自動変速部２０、７２とは別に備えられても良いし、或いはエンジン８と差動部１１との間の動力伝達経路に備えられても良い。
【０２２６】
また、前述の実施例の動力分配機構１６では、第１キャリヤＣＡ１がエンジン８に連結され、第１サンギヤＳ１が第１電動機Ｍ１に連結され、第１リングギヤＲ１が伝達部材１８に連結されていたが、それらの連結関係は、必ずしもそれに限定されるものではなく、エンジン８、第１電動機Ｍ１、伝達部材１８は、第１遊星歯車装置２４の３要素ＣＡ１、Ｓ１、Ｒ１のうちのいずれと連結されていても差し支えない。
【０２２７】
また、前述の実施例では、エンジン８は入力軸１４と直結されていたが、例えばギヤ、ベルト等を介して作動的に連結されておればよく、共通の軸心上に配置される必要もない。
【０２２８】
また、前述の実施例では、第１電動機Ｍ１および第２電動機Ｍ２は、入力軸１４に同心に配置されて第１電動機Ｍ１は第１サンギヤＳ１に連結され第２電動機Ｍ２は伝達部材１８に連結されていたが、必ずしもそのように配置される必要はなく、例えばギヤ、ベルト、減速機等を介して作動的に第１電動機Ｍ１は第１サンギヤＳ１に連結され、第２電動機Ｍ２は伝達部材１８に連結されてもよい。また、第２電動機Ｍ２が伝達部材１８に連結されていたが、出力軸２２に連結されていてもよいし、自動変速部２０、７２内の回転部材に連結されていてもよい。第２電動機Ｍ２がギヤ、ベルト、減速機等を介して伝達部材１８や出力軸２２等に連結される様な形態も、伝達部材から駆動輪への動力伝達経路に設けられた一態様である。
【０２２９】
また、前述の動力分配機構１６には切換クラッチＣ０および切換ブレーキＢ０が備えられていたが、切換クラッチＣ０および切換ブレーキＢ０は必ずしも両方備えられる必要はない。また、上記切換クラッチＣ０は、サンギヤＳ１とキャリヤＣＡ１とを選択的に連結するものであったが、サンギヤＳ１とリングギヤＲ１との間や、キャリヤＣＡ１とリングギヤＲ１との間を選択的に連結するものであってもよい。要するに、第１遊星歯車装置２４の３要素のうちのいずれか２つを相互に連結するものであればよい。
【０２３０】
また、前述の実施例では、切換クラッチＣ０および切換ブレーキＢ０などの油圧式摩擦係合装置は、パウダー（磁粉）クラッチ、電磁クラッチ、噛み合い型のドグクラッチなどの磁粉式、電磁式、機械式係合装置から構成されていてもよい。
【０２３１】
また、前述の実施例では、自動変速部２０、７２は解放側係合装置の解放と係合側係合装置の係合とによりクラッチツウクラッチ変速が実行される有段式変速機であったが、クラッチＣやブレーキＢの少なくとも１つに替えて或いは平行に一方向クラッチが備えられ、その一方向クラッチの係合によってワンウェイクラッチ変速が実行される有段式変速機であっても良い。このようにしても発明は適用され得る。
【０２３２】
また、前述の実施例では、自動変速部２０、７２は伝達部材１８を介して差動部１１と直列に連結されていたが、入力軸１４と平行にカウンタ軸が設けられそのカウンタ軸上に同心に自動変速部２０、７２が配設されてもよい。この場合には、差動部１１と自動変速部２０、７２とは、例えば伝達部材１８としてのカウンタギヤ対、スプロケットおよびチェーンで構成される１組の伝達部材などを介して動力伝達可能に連結される。
【０２３３】
また、前述の実施例の差動機構としての動力分配機構１６は、例えばエンジンによって回転駆動されるピニオンと、そのピニオンに噛み合う一対のかさ歯車が第１電動機Ｍ１および第２電動機Ｍ２に作動的に連結された差動歯車装置であってもよい。
【０２３４】
また、前述の実施例の動力分配機構１６は、１組の遊星歯車装置から構成されていたが、２以上の遊星歯車装置から構成されて、非差動状態（定変速状態）では３段以上の変速機として機能するものであってもよい。また、その遊星歯車装置はシングルピニオン型に限られたものではなくダブルピニオン型の遊星歯車装置であってもよい。
【０２３５】
また、前述の実施例の切換装置４６は、複数種類のシフトポジションを選択するために操作されるシフトレバー４８を備えていたが、そのシフトレバー４８に替えて、例えば押しボタン式のスイッチやスライド式スイッチ等の複数種類のシフトポジションを選択可能なスイッチ、或いは手動操作に因らず運転者の音声に反応して複数種類のシフトポジションを切り換えられる装置や足の操作により複数種類のシフトポジションを切り換えられる装置等であってもよい。また、シフトレバー４８が「Ｍ」ポジションへ操作されることにより、変速レンジが設定されるものであったが変速段が設定されることすなわち各変速レンジの最高速変速段が変速段として設定されてもよい。この場合、自動変速部２０、７２では変速段が切り換えられて変速が実行される。例えば、シフトレバー４８が「Ｍ」ポジションにおけるアップシフト位置「＋」またはダウンシフト位置「−」へ手動操作されると、自動変速部２０では第１速ギヤ段乃至第４速ギヤ段の何れかがシフトレバー４８の操作に応じて設定される。
【０２３６】
また、前述の実施例のスイッチ４４はシーソー型のスイッチであったが、例えば押しボタン式のスイッチ、択一的にのみ押した状態が保持可能な２つの押しボタン式のスイッチ、レバー式スイッチ、スライド式スイッチ等の少なくとも無段変速走行（差動状態）と有段変速走行（非差動状態）とが択一的に切り換えられるスイッチであればよい。また、スイッチ４４に中立位置が設けられる場合にその中立位置に替えて、スイッチ４４の選択状態を有効或いは無効すなわち中立位置相当が選択可能なスイッチがスイッチ４４とは別に設けられてもよい。また、スイッチ４４に替えて或いは加えて、手動操作に因らず運転者の音声に反応して少なくとも無段変速走行（差動状態）と有段変速走行（非差動状態）とが択一的に切り換えられる装置や足の操作により切り換えられる装置等であってもよい。
【０２３７】
なお、上述したのはあくまでも一実施形態であり、本発明は当業者の知識に基づいて種々の変更、改良を加えた態様で実施することができる。
【図面の簡単な説明】
【０２３８】
【図１】本発明の一実施例であるハイブリッド車両の駆動装置の構成を説明する骨子図である。
【図２】図１の実施例のハイブリッド車両の駆動装置が無段或いは有段変速作動させられる場合における変速作動とそれに用いられる油圧式摩擦係合装置の作動の組み合わせとの関係を説明する作動図表である。
【図３】図１の実施例のハイブリッド車両の駆動装置が有段変速作動させられる場合における各ギヤ段の相対的回転速度を説明する共線図である。
【図４】図１の実施例の駆動装置に設けられた電子制御装置の入出力信号を説明する図である。
【図５】図４の電子制御装置の制御作動の要部を説明する機能ブロック線図である。
【図６】車速と出力トルクとをパラメータとする同じ二次元座標に構成された、自動変速部の変速判断の基となる予め記憶された変速線図の一例と、変速機構の変速状態の切換判断の基となる予め記憶された切換線図の一例と、エンジン走行とモータ走行とを切り換えるためのエンジン走行領域とモータ走行領域との境界線を有する予め記憶された駆動力源切換線図の一例とを示す図であって、それぞれの関係を示す図でもある。
【図７】図７の破線はエンジン８の最適燃費率曲線であって燃費マップの一例である。また、無段変速機でのエンジン作動（破線）と有段変速機でのエンジン作動（一点鎖線）の違いを説明する図でもある。
【図８】無段制御領域と有段制御領域との境界線を有する予め記憶された関係を示す図であって、図６の破線に示す無段制御領域と有段制御領域との境界をマップ化するための概念図でもある。
【図９】有段式変速機におけるアップシフトに伴うエンジン回転速度の変化の一例である。
【図１０】シフトレバーを備えた複数種類のシフトポジションを選択するために操作されるシフト操作装置の一例である。
【図１１】図５の電子制御装置の制御作動すなわち自動変速部の変速時にエンジントルクの変動が自動変速部へ伝達されることを抑制する制御作動を説明するフローチャートである。
【図１２】図１１のフローチャートに示す制御作動を説明するタイムチャートであり、差動部の有段変速状態（ロック状態）において自動変速部の２速→３速アップシフトが実行された場合での制御作動を示している。
【図１３】図１１のフローチャートに示す制御作動を説明するタイムチャートであり、差動部の無段変速状態において自動変速部の４速→２速ダウンシフトが飛び変速となるように実行された場合での制御作動を示している。
【図１４】図１１のフローチャートに示す制御作動を説明するタイムチャートであり、差動部の無段変速状態において自動変速部の２速→３速アップシフトが実行された場合での制御作動を示している。
【図１５】本発明の他の実施例におけるハイブリッド車両の駆動装置の構成を説明する骨子図であって、図１に相当する図である。
【図１６】図１５の実施例のハイブリッド車両の駆動装置が無段或いは有段変速作動させられる場合における変速作動とそれに用いられる油圧式摩擦係合装置の作動の組み合わせとの関係を説明する作動図表であって、図２に相当する図である。
【図１７】図１５の実施例のハイブリッド車両の駆動装置が有段変速作動させられる場合における各ギヤ段の相対的回転速度を説明する共線図であって、図３に相当する図である。
【図１８】切換装置としてのシーソー型スイッチであって変速状態を選択するためにユーザによって操作される変速状態手動選択装置の一例である。
【符号の説明】
【０２３９】
８：エンジン
１０、７０：変速機構（駆動装置）
１１：差動部（無段変速部）
１６：動力分配機構（差動機構）
１８：伝達部材
２０、７２：自動変速部（有段変速部）
３８：駆動輪
４０：電子制御装置（制御装置）
８２：入力クラッチ制御手段
Ｍ１：第１電動機
Ｍ２：第２電動機
Ｃ１：第１クラッチ（入力クラッチ）
Ｃ０：切換クラッチ（差動制限装置）
Ｂ０：切換ブレーキ（差動制限装置）
【図１】
2007002899.tif 000003
【図２】
2007002899.tif 000004
【図３】
2007002899.tif 000005
【図４】
2007002899.tif 000006
【図５】
2007002899.tif 000007
【図６】
2007002899.tif 000008
【図７】
2007002899.tif 000009
【図８】
2007002899.tif 000010
【図９】
2007002899.tif 000011
【図１０】
2007002899.tif 000012
【図１１】
2007002899.tif 000013
【図１２】
2007002899.tif 000014
【図１３】
2007002899.tif 000015
【図１４】
2007002899.tif 000016
【図１５】
2007002899.tif 000017
【図１６】
2007002899.tif 000018
【図１７】
2007002899.tif 000019
【図１８】
2007002899.tif 000020